(57)【特許請求の範囲】
【請求項１】
患者に情報を提供するコンピューティング装置の作動方法であって、患者は、呼吸ガスの流れを患者に送達することによって患者の状態を処置するよう患者に療法を提供するよう構成された圧力支援システムを使い、当該方法は：
前記コンピューティング装置が、前記圧力支援システムを使う処置に関する患者／療法メトリックに基づく目標を確立する段階であって、該目標を確立する段階は、前記目標を確立する入力を受領すること、前記目標を自動的に設定することの少なくとも一方であり、前記目標が、
（ｉｉ）前記圧力支援システムの連続使用日数、
（ｉｉｉ）ある時間期間における前記圧力支援システムの少なくともある量の使用がある連続日数、および
（ｉｖ）マスク漏れの測定に基づくマスク・フィット・メトリックである第一のメトリックが少なくともある値である前記圧力支援システムの連続使用日数
のうちの一つである、段階と；
前記コンピューティング装置が、患者／療法メトリック・データを取得する段階であって、前記患者／療法メトリック・データは、患者への療法の提供中に前記圧力支援システムによって測定されるデータを処理することによって形成される、段階と；
前記コンピューティング装置がディスプレイ上に目標情報を表示する段階とを含み、前記目標情報は、前記目標に向けた進行を示し、前記患者／療法メトリック・データに基づく、
方法。
【請求項２】
前記患者／療法メトリック・データが、（ｉ）前記第一のメトリック、（ｉｉ）前記圧力支援システムの使用の長さを示す第二のメトリックおよび（ｉｉｉ）患者の状態の重篤さまたは状況を示す第三のメトリックのうちの少なくとも一つである、請求項１記載の方法。
【請求項３】
前記第三のメトリックがある時間期間の間に患者が経験した無呼吸および／または呼吸低下イベントの数に関係する、請求項２記載の方法。
【請求項４】
前記第三のメトリックが無呼吸／呼吸低下インデックスである、請求項３記載の方法。
【請求項５】
前記患者／療法メトリック・データが、マスク漏れの測定に基づくマスク・フィット・メトリックである前記第一のメトリックであり、
前記目標が、（ｉｖ）前記第一のメトリックが少なくともある値である前記圧力支援システムの連続使用日数である、請求項１記載の方法。
【請求項６】
前記目標が達成されたと判定するのに応答して、前記コンピューティング装置が、前記目標が達成されたことを示す電子メッセージを自動的に生成する段階をさらに含む、請求項１記載の方法。
【請求項７】
前記電子メッセージが：（ｉ）所定の受取人に向けられた電子メール・メッセージ、SMSメッセージまたはMMSメッセージおよび（ｉｉ）所定の公にアクセス可能なサードパーティー・オンライン・システム上にポストされるメッセージの少なくとも一つである、請求項６記載の方法。
【請求項８】
前記コンピューティング装置が患者／療法メトリック・データを取得する前記段階が、前記コンピューティング装置および前記圧力支援システムからリモートなコンピュータ・システムから前記患者／療法メトリック・データを受領することを含む、請求項１記載の方法。
【請求項９】
前記コンピューティング装置が目標を確立する前記段階が、（ｉ）前記目標を確立する前記コンピューティング装置への入力を受領すること、（ｉｉ）前記圧力支援システムによって測定されたある種のデータおよび／または過去の患者／療法メトリック・データに基づいて前記コンピューティング装置が前記目標を自動的に設定すること、の少なくとも一方である、請求項１記載の方法。
【請求項１０】
患者に情報を提供するよう構成されたコンピューティング装置であって、患者は、呼吸ガスの流れを患者に送達することによって患者の状態を処置するよう患者に療法を提供するよう構成された圧力支援システムを使い、当該コンピューティング装置は：
ディスプレイと；
プロセッサおよびメモリを含むプロセッサ装置とを含み、前記メモリは前記プロセッサによって実行可能な一つまたは複数のルーチンを記憶し、前記一つまたは複数のルーチンは：
前記圧力支援システムを使う処置に関する患者／療法メトリックに基づく目標を確立する段階であって、前記目標が、
（ｉｉ）前記圧力支援システムの連続使用日数、
（ｉｉｉ）ある時間期間における前記圧力支援システムの少なくともある量の使用がある連続日数、および
（ｉｖ）マスク漏れの測定に基づくマスク・フィット・メトリックである第一のメトリックが少なくともある値である前記圧力支援システムの連続使用日数のうちの一つである、段階と；
患者／療法メトリック・データを取得する段階であって、前記患者／療法メトリック・データは、患者への療法の提供中に前記圧力支援システムによって測定されるデータを処理することによって形成される、段階と；
目標情報を生成する段階であって、前記目標情報は、前記目標に向けた進行を示し、前記患者／療法メトリック・データに基づく、段階と；
前記ディスプレイに前記目標情報を表示させる段階とを実行するために適応されている、
コンピューティング装置。
【請求項１１】
前記患者／療法メトリック・データが、（ｉ）前記第一のメトリック、（ｉｉ）前記圧力支援システムの使用の長さを示す第二のメトリックおよび（ｉｉｉ）患者の状態の重篤さまたは状況を示す第三のメトリックのうちの少なくとも一つである、請求項１０記載のコンピューティング装置。
【請求項１２】
前記第三のメトリックがある時間期間の間に患者が経験した無呼吸および／または呼吸低下イベントの数に関係する、請求項１１記載のコンピューティング装置。
【請求項１３】
前記第三のメトリックが無呼吸／呼吸低下インデックスである、請求項１２記載のコンピューティング装置。
【請求項１４】
前記患者／療法メトリック・データが、マスク漏れの測定に基づくマスク・フィット・メトリックであり、
前記目標が、（ｉｖ）前記第一のメトリックが少なくともある値である前記圧力支援システムの連続使用日数である、
請求項１０記載のコンピューティング装置。
【請求項１５】
前記一つまたは複数のルーチンがさらに、前記目標が達成されたと判定するのに応答して、前記コンピューティング装置に、前記目標が達成されたことを示す電子メッセージを自動的に生成させるよう適応されている、請求項１０記載のコンピューティング装置。
【請求項１６】
前記電子メッセージが：（ｉ）所定の受取人に向けられた電子メール・メッセージ、SMSメッセージまたはMMSメッセージおよび（ｉｉ）所定の公にアクセス可能なサードパーティー・オンライン・システム上にポストされるメッセージの少なくとも一つである、請求項１５記載のコンピューティング装置。
【請求項１７】
前記一つまたは複数のルーチンが、当該コンピューティング装置および前記圧力支援システムからリモートなコンピュータ・システムから前記患者／療法メトリック・データを受領することによって、前記患者／療法メトリック・データを取得するよう適応されている、請求項１０記載のコンピューティング装置。
【発明の詳細な説明】
【技術分野】
【０００１】
本発明は、気道陽圧（PAP:  positive  airway  pressure）療法を使って睡眠呼吸障害のような状態を処置するためのシステムに、特に、中でも患者に自分の療法に関係するカスタマイズ／パーソナル化された教育およびフィードバックを提供するよう構成されたツールに関する。
【背景技術】
【０００２】
多くの個人が睡眠中の呼吸障害を患っている。睡眠時無呼吸は、世界中で何百万もの人々が患うそのような睡眠呼吸障害の一般的な例である。睡眠時無呼吸の一つの型は、閉塞性睡眠時無呼吸（OSA:  obstructive  sleep  apnea）である。これは、気道、典型的には上気道または咽頭領域の閉塞のため呼吸できなくなることにより睡眠が繰り返し中断される状態である。気道の閉塞は一般に、少なくとも部分的には、上気道セグメントを安定化させる筋肉が全般的に弛緩し、それにより組織が気道をつぶすことに起因すると考えられている。別の型の睡眠時無呼吸症候群は中枢性睡眠時無呼吸である。これは、脳の呼吸中枢からの呼吸信号がないことに起因する呼吸の停止である。閉塞性、中枢性または閉塞性と中枢性の組み合わせである混合型のいずれであれ、無呼吸状態は、呼吸の完全なまたはほとんどの停止、たとえばピーク呼吸気流の90%以上の低下として定義される。
【０００３】
睡眠時無呼吸の患者は、睡眠の断片化および睡眠中の断続的な換気の完全なまたはほぼ完全な停止を経験し、潜在的には重度のオキシヘモグロビン脱飽和を伴う。これらの症状は、臨床的には、極端な日中の眠気、心不整脈、肺動脈高血圧、鬱血性心不全および／または認知不全となりうる。睡眠時無呼吸の他の帰結としては、右心室不全、覚醒中の炭酸ガス貯留および連続的な低下した動脈血酸素分圧が含まれる。睡眠時無呼吸患者は、これらの要因からの、また運転中および／または潜在的に危険な装置の操作中の事故リスクが高まるための、過大な死亡率のリスクがあることがある。
【０００４】
患者が気道の完全なまたはほぼ完全な閉塞を患わないとしても、気道の部分的な閉塞しかない場合に睡眠から起こされるといった悪影響が起こりうることも知られている。気道の部分的な閉塞は典型的には、呼吸低下と称される浅い呼吸につながる。呼吸低下は典型的には、ピーク呼吸気流の50%以上の低下として定義される。他の型の睡眠呼吸障害としては、限定するものではないが、上気道抵抗症候群（UARS）および気道の振動が含まれる。気道の振動は、一般にいびきと称される、咽頭壁の振動などである。
【０００５】
患者の気道に持続的気道陽圧（CPAP:  continuous  positive  air  pressure）を加えることによって睡眠呼吸障害を処置することがよく知られている。この陽圧は、事実上、気道を「支え」、それにより肺への開いた通路を維持する。患者への快適さを高めるよう、患者に送達されるガスの圧力が患者の呼吸サイクルとともに変化するまたは患者の呼吸努力とともに変化する陽圧療法を提供することも知られている。この圧力支援技法は二レベル圧力支援と称され、患者に送達される吸気気道陽圧（IPAP:  inspiratory  positive  airway  pressure）が呼気気道陽圧（EPAP:  expiratory  positive  airway  pressure）より高い。さらに、患者が無呼吸および／または呼吸低下を経験しているかどうかなどの患者の検出される状態に基づいて圧力が自動的に調整される陽圧療法を提供することが知られている。この圧力支援技法は、自動タイトレーション（auto-titration）型の圧力支援と称される。圧力支援装置が、呼吸障害を治療するのに必要な高さの圧力しか患者に提供しないようにするからである。
【０００６】
上記のような圧力支援は、柔らかい柔軟な密閉クッションをもつマスク・コンポーネントを含む患者インターフェース・デバイスを患者の顔面に装着することを含む。マスク・コンポーネントは、限定するものではないが、患者の鼻を覆う鼻マスク、患者の鼻および口を覆う鼻／口マスクまたは患者の顔を覆うフルフェース・マスクでありうる。そのような患者インターフェース・デバイスは、額支持部、頬パッドおよび顎パッドといった患者に接触する他のコンポーネントを用いてもよい。患者インターフェース・デバイスは、ガス送達管または導路に接続され、圧力支援装置に患者の気道とインターフェースをもたせ、それにより呼吸ガスの流れが圧力／流れ生成装置から患者の気道に送達されることができる。
【先行技術文献】
【特許文献】
【０００７】
【特許文献１】米国特許第5,148,802号、Sanders  et  al.
【特許文献２】米国特許第5,313,937号、Zdrojkowski  et  al.
【特許文献３】米国特許第5,433,193号、Sanders  et  al.
【特許文献４】米国特許第5,632,269号、Zdrojkowski  et  al.
【特許文献５】米国特許第5,803,065号、Zdrojkowski  et  al.
【特許文献６】米国特許第6,029,664号、Zdrojkowski  et  al.
【特許文献７】米国特許第6,920,875号、Hill  et  al.
【発明の概要】
【発明が解決しようとする課題】
【０００８】
スマートフォンおよびタブレットPCのような洗練されたポータブル電子装置の爆発的な成長ならびにそれらが用いるますますユーザー・フレンドリーになるオペレーティング・システムとともに、世界中の患者は、簡単に教育情報のような情報を取得および共有し、ヘルスケア提供者と通信する能力をますます得つつある。よって、患者に、自分の睡眠呼吸障害の管理においてより積極的な役割を果たす能力を与えるシステムおよびツールならびに患者の電子装置または代替的にPCを使って、圧力支援システムを使って提供される療法を提供することが有利であり、その必要がある
【課題を解決するための手段】
【０００９】
ある実施形態では、患者に情報を提供する方法が提供される。ここで、患者は、呼吸ガスの流れを患者に送達することによって患者の状態を処置するよう患者に療法を提供するよう構成された圧力支援システムを使う。本方法は、コンピューティング装置において、圧力支援システムの一つまたは複数の特定のコンポーネントを同定する第一の情報を受領する段階と、前記コンピューティング装置において、療法の提供中に圧力支援システムによって測定されるデータが圧力支援システムからデータが処理される位置に転送されるデータ接続方法論を同定する第二の情報を受領する段階と、前記コンピューティング装置のディスプレイ上に第三の情報を表示する段階とを含み、前記第三の情報は、（ｉ）圧力支援システムの使用または圧力支援システムについてのケアに関する情報、（ｉｉ）圧力支援システムからのデータを転送することに関する情報および（ｉｉｉ）圧力支援システムの使用に関する問題の一つまたは複数の解決策に関する情報のうちの一つであり、前記第三の情報は、前記第一の情報および前記第二の情報の一方または両方に基づいて選択される。
【００１０】
もう一つの実施形態では、患者に情報を提供するよう構成されたコンピューティング装置が提供される。ここで、患者は、呼吸ガスの流れを患者に送達することによって患者の状態を処置するよう患者に療法を提供するよう構成された圧力支援システムを使う。前記コンピューティング装置はディスプレイと、プロセッサおよびメモリを含むプロセッサ装置とを含み、前記メモリは前記プロセッサによって実行可能な一つまたは複数のルーチンを記憶し、前記一つまたは複数のルーチンは：圧力支援システムの一つまたは複数の特定のコンポーネントを同定する第一の情報を受領する段階と、療法の提供中に圧力支援システムによって測定されるデータが圧力支援システムからデータが処理される位置に転送されるデータ接続方法論を同定する第二の情報を受領する段階と、前記ディスプレイ上に第三の情報を表示する段階とを実行するために適応され、前記第三の情報は、（ｉ）圧力支援システムの使用または圧力支援システムについてのケアに関する情報、（ｉｉ）圧力支援システムからのデータを転送することに関する情報および（ｉｉｉ）圧力支援システムの使用に関する問題の一つまたは複数の解決策に関する情報のうちの一つであり、前記第三の情報は、前記第一の情報および前記第二の情報の一方または両方に基づいて選択される。
【００１１】
もう一つの実施形態では、患者に情報を提供する方法が提供される。ここで、患者は、呼吸ガスの流れを患者に送達することによって患者の状態を処置するよう患者に療法を提供するよう構成された圧力支援システムを使う。本方法は、コンピューティング装置において、圧力支援システムを使う処置に関する患者／療法メトリックに基づく目標を確立する段階と、前記コンピューティング装置において、患者／療法メトリック・データを取得する段階であって、前記患者／療法メトリック・データは、患者への療法の提供中に圧力支援システムによって測定されるデータを処理することによって形成される、段階と、前記コンピューティング装置のディスプレイ上に目標情報を表示する段階とを含み、前記目標情報は、前記目標に向けた進行を示し、前記患者／療法メトリック・データに基づいている。
【００１２】
さらにもう一つの実施形態では、患者に情報を提供するよう構成されたコンピューティング装置が提供される。ここで、患者は、呼吸ガスの流れを患者に送達することによって患者の状態を処置するよう患者に療法を提供するよう構成された圧力支援システムを使う。前記コンピューティング装置はディスプレイと、プロセッサおよびメモリを含むプロセッサ装置とを含み、前記メモリは前記プロセッサによって実行可能な一つまたは複数のルーチンを記憶し、前記一つまたは複数のルーチンは：圧力支援システムを使う処置に関する患者／療法メトリックに基づく目標を確立する段階と、患者／療法メトリック・データを取得する段階であって、前記患者／療法メトリック・データは、患者への療法の提供中に圧力支援システムによって測定されるデータを処理することによって形成される、段階と、目標情報を生成する段階であって、前記目標情報は、前記目標に向けた進行を示し、前記患者／療法メトリック・データに基づく、段階と、前記ディスプレイに前記目標情報を表示させる段階とを実行するために適応される。
【００１３】
さらにもう一つの実施形態では、呼吸ガスの流れを患者に送達することによって患者の状態を処置するよう患者に療法を提供するよう構成された圧力支援システムの、患者による使用に関する情報を報告する方法が提供される。本方法は、圧力支援システムとは別個のコンピューティング装置において、患者／療法メトリック・データを取得する段階であって、前記患者／療法メトリック・データは、患者への療法の提供中に圧力支援システムによって測定されるデータを処理することによって形成される、段階と、前記コンピューティング装置において、前記患者／療法メトリック・データに基づく、前記コンピューティング装置から送出するための電子メッセージを自動的に生成する段階とを含む。
【００１４】
さらにもう一つの実施形態では、呼吸ガスの流れを患者に送達することによって患者の状態を処置するよう患者に療法を提供するよう構成された圧力支援システムの、患者による使用に関する情報を報告するよう構成されたコンピューティング装置が提供される。前記コンピューティング装置は、圧力支援システムとは別個であり、ディスプレイと、プロセッサおよびメモリを含むプロセッサ装置とを含み、前記メモリは前記プロセッサによって実行可能な一つまたは複数のルーチンを記憶し、前記一つまたは複数のルーチンは：患者／療法メトリック・データを取得する段階であって、前記患者／療法メトリック・データは、患者への療法の提供中に圧力支援システムによって測定されるデータを処理することによって形成される、段階と、前記患者／療法メトリック・データに基づく、前記コンピューティング装置から送出するための電子メッセージを自動的に生成する段階とを実行するために適応されている。
【００１５】
もう一つの実施形態では、患者に情報を提供するシステムのユーザーについてアカウントを確立する方法が提供される。患者は、呼吸ガスの流れを患者に送達することによって患者の状態を処置するよう患者に療法を提供するよう構成された圧力支援システムを使う。本方法は、コンピューティング装置において、ユーザーについてのユーザー名情報および圧力発生システムのコンポーネントを同定する装置同定情報を受領する段階と、前記ユーザー名情報および前記装置同定情報を前記コンピューティング装置および前記圧力発生システムからリモートな位置に送信する段階と、前記リモートな位置において、前記ユーザー名情報が前記システムにとって一意的であるかどうかおよび前記装置同定情報が有効であるかどうかを判定する段階と、前記ユーザー名情報が前記システムにとって一意的でありかつ前記装置同定情報が有効であると判定される場合にのみ、前記アカウントを確立する段階とを含む。
【００１６】
本発明のこれらおよび他の目的、特定事項および特徴ならびに関係する構造要素およびパーツの組み合わせの動作方法および機能ならびに製造の経済性は、以下の記述および付属の請求項を、添付の図面を参照して考慮すれば一層明白となるであろう。これらはみな本明細書の一部をなす。同様の参照符号はさまざまな図における対応するパーツを示す。ただし、図面は単に例解および説明のためであり、本発明の限界の定義として意図されていないことははっきりと理解しておくものとする。
【図面の簡単な説明】
【００１７】
【図１】本発明のある限定しない例示的な実施形態に基づく、睡眠呼吸障害を治療し、処置をモニタリングおよび管理するためのシステムのブロック図である。
【図２】図１のシステムを実装する際に使用されうる、ある特定の限定しない例示的な実施形態に基づく圧力支援システムの概略図である。
【図３】図１のシステムを実装する際に使用されうる、例示的なポータブル電子装置の概略図である。
【図４】図１のシステムを実装する際に使用されうる、例示的なポータブル電子装置の概略図である。
【図５】本発明のソフトウェア・アプリケーション／ツールの動作および機能を例証する、図１、図３および図４のポータブル電子装置のタッチスクリーン・ディスプレイの「画面ショット」を示す概略図である。
【図６】本発明のソフトウェア・アプリケーション／ツールの動作および機能を例証する、図１、図３および図４のポータブル電子装置のタッチスクリーン・ディスプレイの「画面ショット」を示す概略図である。
【図７】本発明のソフトウェア・アプリケーション／ツールの動作および機能を例証する、図１、図３および図４のポータブル電子装置のタッチスクリーン・ディスプレイの「画面ショット」を示す概略図である。
【図８】本発明のソフトウェア・アプリケーション／ツールの動作および機能を例証する、図１、図３および図４のポータブル電子装置のタッチスクリーン・ディスプレイの「画面ショット」を示す概略図である。
【図９】本発明のソフトウェア・アプリケーション／ツールの動作および機能を例証する、図１、図３および図４のポータブル電子装置のタッチスクリーン・ディスプレイの「画面ショット」を示す概略図である。
【図９−２】本発明のソフトウェア・アプリケーション／ツールの動作および機能を例証する、図１、図３および図４のポータブル電子装置のタッチスクリーン・ディスプレイの「画面ショット」を示す概略図である。
【図１０】本発明のソフトウェア・アプリケーション／ツールの動作および機能を例証する、図１、図３および図４のポータブル電子装置のタッチスクリーン・ディスプレイの「画面ショット」を示す概略図である。
【図１１】本発明のソフトウェア・アプリケーション／ツールの動作および機能を例証する、図１、図３および図４のポータブル電子装置のタッチスクリーン・ディスプレイの「画面ショット」を示す概略図である。
【図１２】本発明のソフトウェア・アプリケーション／ツールの動作および機能を例証する、図１、図３および図４のポータブル電子装置のタッチスクリーン・ディスプレイの「画面ショット」を示す概略図である。
【図１２−２】本発明のソフトウェア・アプリケーション／ツールの動作および機能を例証する、図１、図３および図４のポータブル電子装置のタッチスクリーン・ディスプレイの「画面ショット」を示す概略図である。
【図１３】本発明のソフトウェア・アプリケーション／ツールの動作および機能を例証する、図１、図３および図４のポータブル電子装置のタッチスクリーン・ディスプレイの「画面ショット」を示す概略図である。
【図１４】本発明のソフトウェア・アプリケーション／ツールの動作および機能を例証する、図１、図３および図４のポータブル電子装置のタッチスクリーン・ディスプレイの「画面ショット」を示す概略図である。
【図１５】本発明のソフトウェア・アプリケーション／ツールの動作および機能を例証する、図１、図３および図４のポータブル電子装置のタッチスクリーン・ディスプレイの「画面ショット」を示す概略図である。
【図１６】本発明のソフトウェア・アプリケーション／ツールの動作および機能を例証する、図１、図３および図４のポータブル電子装置のタッチスクリーン・ディスプレイの「画面ショット」を示す概略図である。
【図１７】本発明のソフトウェア・アプリケーション／ツールの動作および機能を例証する、図１、図３および図４のポータブル電子装置のタッチスクリーン・ディスプレイの「画面ショット」を示す概略図である。
【図１８】本発明のソフトウェア・アプリケーション／ツールの動作および機能を例証する、図１、図３および図４のポータブル電子装置のタッチスクリーン・ディスプレイの「画面ショット」を示す概略図である。
【図１９】本発明のソフトウェア・アプリケーション／ツールの動作および機能を例証する、図１、図３および図４のポータブル電子装置のタッチスクリーン・ディスプレイの「画面ショット」を示す概略図である。
【図２０】本発明のソフトウェア・アプリケーション／ツールの動作および機能を例証する、図１、図３および図４のポータブル電子装置のタッチスクリーン・ディスプレイの「画面ショット」を示す概略図である。
【図２１】本発明のソフトウェア・アプリケーション／ツールの動作および機能を例証する、図１、図３および図４のポータブル電子装置のタッチスクリーン・ディスプレイの「画面ショット」を示す概略図である。
【図２２】本発明のソフトウェア・アプリケーション／ツールの動作および機能を例証する、図１、図３および図４のポータブル電子装置のタッチスクリーン・ディスプレイの「画面ショット」を示す概略図である。
【図２３】本発明のソフトウェア・アプリケーション／ツールの動作および機能を例証する、図１、図３および図４のポータブル電子装置のタッチスクリーン・ディスプレイの「画面ショット」を示す概略図である。
【図２４】本発明のソフトウェア・アプリケーション／ツールの動作および機能を例証する、図１、図３および図４のポータブル電子装置のタッチスクリーン・ディスプレイの「画面ショット」を示す概略図である。
【発明を実施するための形態】
【００１８】
本稿での用法では、文脈がそうでないことを明確に指定するのではない限り、単数形は複数の言及を含む。本稿での用法では、二つ以上のパーツまたはコンポーネントが「結合されている」という陳述は、それらの部分が直接的にまたは間接的に、すなわち一つまたは複数の中間的なパーツまたはコンポーネントを通じて結び合わされているまたは一緒に動作することを、リンクが生じる限り、意味する。本稿での用法では、「直接結合されている」は二つの要素が互いと直接接触していることを意味する。本稿での用法では、「固定的に結合されている」または「固定されている」は二つの要素が、互いの相対的な一定の配向を維持しつつ一方を動かすよう結合されていることを意味する。
【００１９】
本稿での用法では、「単体的な（unitary）」は、あるコンポーネントが単一の片またはユニットとして作り出されていることを意味する。すなわち、別個に作り出され、次いでユニットとして一緒に結合された諸片を含むコンポーネントは「単体的な」コンポーネントまたはボディではない。本稿での用法では、二つ以上のパーツまたはコンポーネントが互いと「係合する」という陳述は、それらの部分が直接的にまたは一つまたは複数の中間的なパーツまたはコンポーネントを通じて互いに対して力を及ぼすことを意味する。本稿での用法では、用語「数」は、一または一より大きい整数（すなわち、複数）を意味する。
【００２０】
本稿での方向に関する句、たとえば限定するものではないが、上、下、左、右、上部、下部、前、後およびそれらの派生形は、図に示される要素の配向に関係するものであり、請求項で明記されるのでない限り請求項に対して限定するものではない。
【００２１】
図１は、本発明のある限定しない例示的な実施形態に基づく、睡眠呼吸障害を治療し、治療をモニタリングおよび管理するためのシステムのブロック図である。図１に見られるように、システム２は、本稿でより詳細に述べるように、OSAのような睡眠呼吸障害状態を患う患者のための、患者の疾病および治療を効果的に管理するための機構を一緒になって提供するいくつかの個別コンポーネントを含んでいる。該機構は、患者の疾病および個別的な療法に関するカスタマイズ／パーソナル化された教育およびフィードバックを提供することにより、また療法遵守を高めることによる。特に、システム２は、圧力支援システム４と、中央コンピュータ・システム６と、ポータブル電子装置８と、パーソナル・コンピュータ（PC）１０とを含む。そのそれぞれは、下記でより詳細に述べるが、これらが一緒になって、睡眠呼吸障害治療および自己管理機構を提供する。
【００２２】
図１に示される圧力支援システム４は、患者の睡眠呼吸障害状態を治療するために患者に気道陽圧（PAP）支援療法を提供するよう構成されたシステムである。システム２において使用されうる圧力支援システム４の一つの好適な限定しない例は、図２との関連で本稿で詳細に記述される。図１に示される例示的な実施形態における中央コンピュータ・システム６は、圧力支援システム４によって収集され、圧力支援システム４から（および他の患者の同様の圧力支援システムから）受領される患者データを記憶し、処理するよう構造化され、構成されている一つまたは複数のサーバー・コンピュータおよび一つまたは複数のデータベースのシステムを含み、それにより該データは患者、患者のホームケア提供者および／または患者の医師の一または複数によってアクセスされうる。図１に示されるポータブル電子装置８は、限定するものではないが、スマートフォン、タブレットPCまたは他の何らかのポータブル・コンピューティング装置のような装置である。システム２において使用されうるポータブル電子装置８の一つの好適な例は、本稿では図３および図４との関連で詳細に記述される。
【００２３】
さらに、本稿で詳細に述べるように、本発明は、中でも、患者への療法の提供中に圧力支援システム４によって測定されるデータに少なくとも部分的に基づいて、上記のカスタマイズ／パーソナル化された教育およびフィードバックを患者に提供するよう構成されたポータブル電子装置８およびPC  １０のいずれかまたは両方の上で実装されてもよいソフトウェア・アプリケーションの形のツールを提供する。例解の簡単のため、本発明のツールは、例示的なポータブル電子装置８（図３および図４）上で実装されるものとして記述されるが、その個別的な実装は単に例示的であることが意図されており、本発明の概念、特に本稿に記載されるソフトウェア・アプリケーションは他の好適な形のポータブル電子装置８上でおよび／またはPC  １０上の好適な形で実装されてもよいことは理解されるであろう。
【００２４】
図２は、システム２を実装する際に使用されうる、ある特定の限定しない例示的な実施形態に基づく圧力支援システム４の概略図である。図２を参照するに、圧力支援システム４は、通常のCPAPまたは二レベル圧力支援装置において使用される吹送器〔ブロワー〕のようなガス流れ発生器１２を含む。該ガス流れ発生器１２は、概括的に矢印Cによって示されている呼吸ガスを、任意の好適な源から、たとえば酸素または空気の加圧タンク、周囲の大気またはそれらの組み合わせから受領する。ガス流れ発生器１２は空気、酸素またはそれらの混合物のような呼吸ガスの流れを、相対的により高いおよびより低い圧力での、すなわち一般に周囲の大気圧以上での患者１４の気道への送達のために生成する。概括的に矢印Dによって示される、ガス流れ発生器１２からの呼吸ガスの加圧された流れは、送達導路１８を介して、任意の既知の構造の呼吸マスクまたは患者インターフェース２０に送達される。呼吸マスクまたは患者インターフェース２０は、典型的には、呼吸ガスの流れを患者１４の気道に連絡するために患者１４によって身につけられるまたは他の仕方で患者１４に取り付けられる。送達導路１８および患者インターフェース・デバイス２０は典型的にはまとめて患者回路と称される。
【００２５】
図２に示される圧力支援システム４は、単一肢システムとして知られるものである。つまり、患者回路は患者１４を圧力支援システム４に接続する一つの送達導路１８しか含んでいない。よって、送達導路１８において、矢印Eによって示されるようにシステムから、呼気ガスをベントするために、排気ベント２２が設けられる。排気ベント２２が、送達導路１８中に加えてまたはその代わりに、患者インターフェース・デバイス２０内のような他の位置に設けられることができることを注意しておくべきである。排気ベント２２は、圧力支援システム４からガスがベントされる所望される仕方に依存して、幅広い多様な構成をもちうることを理解しておくべきである。
【００２６】
本発明は、圧力支援システム４が、患者１４に接続される送達導路と排気導路を有する二肢システムであることができることも考えている。二肢システム（双肢システムとも称される）では、排気導路が患者１４からの排気ガスを搬送し、患者１４から遠位の端部に排気弁を含む。そのような実施形態における排気弁は典型的には、一般に終末呼気陽圧（PEEP:  positive  end  expiratory  pressure）として知られるシステム内の所望されるレベルまたは圧力を維持するよう能動的に制御される。
【００２７】
さらに、図２に示した図示される例示的な実施形態では、患者インターフェース２０は鼻／口マスクであるが、患者インターフェース２０は鼻マスク、枕型鼻クッション、クレードル型鼻クッション、フルフェース・マスク、好適なガス流れ連絡機能を提供する他の任意のデバイスを含むことができることは理解される。また、本発明の目的のためには、「患者インターフェース」という句は、送達導路１８および加圧呼吸ガスの源を患者１４に接続する他の任意の構造を含むことができる。
【００２８】
図示した実施形態では、圧力支援システム４は、送達導路１８に設けられる弁２４の形の圧力コントローラを含む。弁２４は、患者１４に送達される流れ発生器１２からの呼吸ガスの流れの圧力を制御する。今の目的のためには、流れ発生器１２および弁２４は、患者に送達されるガスの圧力および／または流れを協調して制御するので、まとめて圧力発生システムと称される。しかしながら、患者１４に送達されるガスの圧力を制御するための他の技法、たとえば単独でのまたは圧力制御ベントとの組み合わせでの流れ発生器１２の吹送器スピードの変化などが本発明によって考えられていることは明白であるはずである。このように、弁２４は、患者１４に送達される呼吸ガスの流れの圧力を制御するために使われる技法に依存して、任意的である。弁２４がなくされる場合には、圧力発生システムは流れ発生器１２単独に対応し、患者回路におけるガスの圧力はたとえば、流れ発生器１２のモーター速度を制御することによって制御される。
【００２９】
圧力支援システム４はさらに、送達導路１８内の呼吸ガスの流れを測定する流れセンサー２６を含む。図２に示した特定の実施形態では、流れセンサー２６は送達導路１８の線上に、最も好ましくは弁２４の下流に、介在している。流れセンサー２６は流れ信号QMEASUREDを生成し、これがコントローラ２８に与えられ、コントローラ２８によって、QPATIENTと称される患者１４におけるガスの流れを判別するために使われる。むろん、患者１４の呼吸流れを測定するための他の技法、たとえば限定するものではないが、患者１４においてまたは送達導路１８に沿った他の位置において直接、流れを測定すること、流れ発生器１２の動作に基づいて患者流れを測定することおよび弁２４の上流の流れセンサーを使って患者流れを測定することが、本発明によって考えられている。さらに、流れセンサー２６は省略されてもよい（すなわち、任意的である）こと、流れを推定するために他の技法が使用されてもよいことを注意しておくべきである。たとえば、流れは、モーター・パラメータ（たとえばモーター電流）を使って推定されてもよい。さらに、本稿に記載される本発明の多くの側面は、流れモニタリング自身は要求せず、吹送器電力消費または吹送器時間数のような単純な測定でなされることができる。また、たいていの現代の圧力支援システム実装は、圧力センサーを含み、そうしたセンサーが当該装置の出口における圧力（および拡張により患者における圧力）を制御するため、また他のモニタリング・タスクを実行する（たとえばいびきをかいているかどうか音響信号をモニタリングする）ために使用されてもよい。
【００３０】
コントローラ２８はたとえば、マイクロプロセッサ、マイクロコントローラまたは他の何らかの好適な処理装置であってもよく、データならびに圧力支援システム４の動作を制御するためにコントローラ２８によって実行可能なソフトウェアのための記憶媒体を提供する（図示しない）メモリを含むまたは該メモリに動作上結合されている。圧力支援システム４によって使用されるさまざまなパラメータを設定するため、また臨床担当者または介護者のようなユーザーに情報およびデータを表示および出力するために、入出力装置３０が設けられる。
【００３１】
単一肢システムである本例示的実施形態では、コントローラ２８は、任意の好適な技法を使って圧力支援システム４からのガスの漏れを推定し、この漏れ情報を、実際の患者流れの決定に組み込む。単一肢システムは排気ベントを通じた既知の漏れならびに患者インターフェースの患者接触部位におけるおよび患者回路上のさまざまな導路結合における漏れのような他の未知の漏れを含むので、単一肢システムにおいてはこの漏れ情報が要求される。二肢システムでは、漏れ推定は必要とされないことがある。排気ガスの流れを直接測定するよう、流れセンサーが典型的には排気ベントにおいて設けられるからである。そのようなシステムでは、患者流れは、測定された排気流れを、患者に送達される測定された流れから減算することによって決定できる。患者流れ決定の精度を高めるために二肢システムにおいて漏れ検出が実行されることができることは理解できる。それぞれ内容がここに参照によって組み込まれる特許文献１〜７は、患者に別個のIPAPおよびEPAPレベルを提供するためにどのようにして必要な機能を達成するかを記述している。これらの機能は、漏れを検出および推定する技法ならびに患者の呼吸状態（I/E）を検出し、漏れがあるときの患者への呼吸ガスの二レベル送達を管理する、たとえばトリガーし、サイクルさせる技法を含む。よって、これらの機能の詳細な議論は、簡潔のため本願では割愛する。
【００３２】
最後に、本例示的実施形態における圧力支援システム４は、ポータブル・メモリ・デバイス・ポート３２、短距離無線通信モジュール３４およびモデム３６を含む。これらはみな、コントローラ２８に動作上結合されている。ポータブル・メモリ・デバイス・ポート３２は、データがポータブル・メモリ・デバイスに書き込まれ、ポータブル・メモリ・デバイスから読み出されることができるよう、ポータブル・メモリ・デバイスが圧力支援システム４に選択的に結合されることを可能にするよう構成される。本例示的実施形態では、ポータブル・メモリ・デバイス・ポート３２はSDカード・ポートであり、ポータブル・メモリ・デバイスはSDカードであるが、他のデバイス／技術、たとえば限定するものではないがUSBポートおよびUSB型ポータブル・メモリ・デバイスが使用されてもよい。短距離無線通信モジュール３４は、圧力支援システム４が他の同様に装備された電子装置（たとえば本稿に記述されるポータブル電子装置８）と短距離無線ネットワークを通じて通信できるようにするよう構造化され、構成されているモジュールである。本例示的実施形態では、短距離無線通信モジュール３４は、圧力支援システム４がアドホックなブルートゥース（登録商標）ネットワークを通じて他の装置と通信できるようにするよう構造化され、構成されたブルートゥース（登録商標）モジュールである。さらに、短距離無線通信モジュール３４は、圧力支援システム４内に組み込まれてもよく、あるいはUSBポートまたは他の好適な接続を介して圧力支援システム４に選択的に接続可能なモジュールであってもよい。モデム３６は、圧力支援システム４がインターネットのような好適なネットワークを通じて中央コンピュータ・システム６と通信できるようにするよう構造化され、構成されている。モデム３６は有線接続、無線接続またはその何らかの組み合わせを用いてもよい。いくつかの異なる通信方法が記述されているが、本発明においては、ポータブル電子装置８またはPC  １０と通信する少なくとも一つの方法が必要であるだけである。
【００３３】
システム２において使用されうる例示的なポータブル電子装置８が図３において概括的に示されており、図４において概略的に描かれている。この例示的なポータブル電子装置８はスマートフォンであり、筐体３８、入力装置４０（これは図示した実施形態ではボタンである）、タッチスクリーン・ディスプレイ４２および筐体３８内に配置されたプロセッサ装置４４を含む。ユーザーは、入力装置４０およびタッチスクリーン・ディスプレイ４２を使ってプロセッサ装置４４に入力を与えることができる。プロセッサ装置４４は、タッチスクリーン・ディスプレイ４２が本稿で詳述されるようにしてユーザーに情報を表示することができるようにするようタッチスクリーン・ディスプレイ４２に出力信号を与える。
【００３４】
プロセッサ装置４４は、プロセッサ４６およびメモリ４８を有する。プロセッサ４６は、たとえば、限定するものではないが、メモリ４８とインターフェースをもつマイクロプロセッサ（μP）であってもよい。メモリ４８は、限定するものではないが、RAM、ROM、EPROM（単数または複数）、EEPROM（単数または複数）、フラッシュなどといった、コンピュータの内部記憶領域のような仕方でデータ記憶のための記憶レジスタ、すなわち機械可読媒体を提供する多様な型の内部および／または外部記憶媒体の任意の一つまたは複数であることができ、揮発性メモリまたは不揮発性メモリであることができる。メモリ４８は、プロセッサ４６によって実行可能ないくつかのルーチンを記憶している。該ルーチンの一つまたは複数が（コンピュータ／プロセッサ実行可能命令により）、上記で簡単に論じ、下記でより詳細に述べる、中でも、患者への療法の提供中に圧力支援システム４によって測定されるデータに少なくとも部分的に基づいて、カスタマイズ／パーソナル化された教育およびフィードバックを患者に提供するよう構成されたソフトウェア・アプリケーション／ツールを実装する。本例示的実施形態では、参照の便のため図４で５４とラベル付けされているそのソフトウェア・アプリケーション／ツールは、オンラインの「アプリ・ストア」のような任意の好適な源からポータブル電子装置８にダウンロードされてもよい。
【００３５】
図４に見られるように、ポータブル電子装置８は、ポータブル電子装置８が他の同様に装備された、圧力支援システム４を含む電子装置と短距離無線ネットワークを通じて通信できるようにするよう構造化され、構成されている短距離無線通信モジュール５０をも含んでいる。本稿の他所で述べているように、本例示的実施形態では、短距離無線通信モジュール５０は、ポータブル電子装置８がアドホックなブルートゥース（登録商標）ネットワークを通じて圧力支援システム４と通信できるようにするよう構造化され、構成されたブルートゥース（登録商標）モジュールである。ポータブル電子装置８はまた、ポータブル電子装置８がインターネットのような好適なネットワークを通じて中央コンピュータ・システム６と通信できるようにするよう構造化され、構成された長距離無線通信モジュール５２（たとえばモデム）をも含んでいる。本例示的実施形態では、ポータブル電子装置８は中央コンピュータ・システム６と無線で通信するが、有線接続も可能である。さらに、ポータブル電子装置８は、追加的な機能を提供する一つまたは複数の追加的なモジュール／コンポーネントをも含んでいてもよい。たとえば、限定するものではないが、ポータブル電子装置８はデジタル・カメラ（たとえば本稿に記述されるコンポーネント同定のためのバーコード読み取りおよび／または画像捕捉のため）および／または他のI/Oコンポーネントを含んでいてもよい。他のI/Oコンポーネントは、限定するものではないが、マイクロホン、スピーカーおよび／または本稿に記述されるようにビデオを再生することにおいて使用される他のオーディオI/Oコンポーネントなどである。
【００３６】
上記のように、ポータブル電子装置８は中でも、患者への療法の提供中に圧力支援システム４によって測定されるデータに少なくとも部分的に基づいて、カスタマイズ／パーソナル化された教育およびフィードバックを患者に提供するよう構成されたソフトウェア・アプリケーション／ツール５４を実装する。本稿でより詳細に記述されるように、該ソフトウェア・アプリケーション／ツール５４はある種の患者／療法メトリックを利用する。ここで、各患者／療法メトリックは、圧力支援システム４によって測定された生データを含み、該生データが処理されて（たとえば要約されておよび／または他の仕方で操作されて）患者／療法メトリックを形成している。本発明を例解するために本稿に記載される限定しない例示的実施形態では、生データの患者／療法メトリックへの処理は、中央コンピュータ・システム６において行なわれ、次いで、患者／療法メトリック・データが、ソフトウェア・アプリケーション／ツール５４による使用のために、ポータブル電子装置８に与えられる（患者／療法メトリック・データが長距離ネットワークを通じてポータブル電子装置８の長距離無線通信モジュール５２に送信される）。しかしながら、そのような構成が単に例示的であり、代替的な実施形態では、患者／療法メトリックへの生データの処理は、限定するものではないが、圧力支援システム４内、PC  １０内、ポータブル電子装置８内またはその何らかの組み合わせなど、他のコンポーネント／位置において行なわれてもよいことは理解されるであろう。
【００３７】
生データの患者／療法メトリックへの処理が中央コンピュータ・システム６において行なわれる上記の限定しない例示的実施形態を再び参照するに、このように、生データが定期的に（たとえば毎日）中央コンピュータ・システム６に与えられる方法がなくてはならない。システム２の本例示的実施形態では、これは、次の三つの方法のいずれかでなしうる。第一に、生データは、圧力支援システム４から中央コンピュータ・システム６にモデム３６を使って直接送信されてもよい。あるいはまた、生データは、圧力支援システム４の短距離無線通信モジュール３４およびポータブル電子装置８の短距離無線通信モジュール５０を使って、短距離無線ネットワーク（本例示的実施形態ではブルートゥース（登録商標））を通じて、圧力支援システム４からポータブル電子装置８に送信されてもよい。次いで生データは、ポータブル電子装置８の長距離無線通信モジュール５２を使って、長距離ネットワークを通じて、ポータブル電子装置８から中央コンピュータ・システム６に送信されてもよい。もう一つの代替として、生データはポータブル・メモリ・デバイス（本例示的実施形態ではSDカード）を使って圧力支援システム４がからPC  １０に移されてもよい。次いで、生データは、インターネットのような好適なネットワークを通じて、PC  １０から中央コンピュータ・システム６に送信されてもよい。本稿で詳細に述べるように、ソフトウェア・アプリケーション／ツール５４のユーザーは、これらのデータ転送方法論のうちどれを使うことを好むかを指定できる。
【００３８】
ある例示的実施形態に基づくソフトウェア・アプリケーション／ツール５４の動作および機能について、これから詳細に述べる。以下の記述では、動作および機能は、ポータブル電子装置８のタッチスクリーン・ディスプレイ４２のいくつかの「画面ショット」との関連で記述される。そのそれぞれは、ソフトウェア・アプリケーション／ツール５４によって決定される、タッチスクリーン・ディスプレイ４２の状態を有する。本稿の他所で述べるように、ソフトウェア・アプリケーション／ツール５４の動作および機能は、PC  １０における好適な形で実装されてもよく、よってそのような実装におけるPC  １０のディスプレイは、同じまたは同様な「画面ショット」を表示させられてもよい。
【００３９】
図５は、ソフトウェア・アプリケーション／ツール５４のログイン画面６０の概略的な表現である。これは、ユーザーがソフトウェア・アプリケーション／ツール５４を立ち上げるときにいつも表示されるものである。ユーザーがすでにアカウントを確立していれば、ユーザーは、電子メール・アドレスおよびパスワードを含む自分の確立されたアカウント情報をボックス６２および６４に入力し、ログイン・ボタン６６を選択することによって、ソフトウェア・アプリケーション／ツール５４にログインできる。しかしながら、ユーザーが確立されたアカウントのない、ソフトウェア・アプリケーション／ツール５４の新規ユーザーである場合には、ユーザーは「新規アカウントを作成」リンク６８を選択してもよい。「新規アカウントを作成」リンク６８の選択に応答して、ソフトウェア・アプリケーション／ツール５４は、図６に示される新規アカウント作成画面７０を表示させる。新規アカウントを作成するために、ユーザーは新規アカウント作成画面７０にある種の情報を入力しなければならない。具体的には、ユーザーは、ボックス７２および７４に自分の名前を、ボックス７６に自分の電子メール・アドレスを入力しなければならない。本例示的実施形態では、入力される電子メール・アドレスはシステム２にとって一意的でなければならず、ユーザーの「ユーザー名」として使用される。ユーザーは、「装置番号」をボックス７８に入力することも求められる。「装置番号」は、システム２においてユーザーが使用している圧力支援システム４の圧力発生コンポーネントのシリアル番号である。「装置番号」はユーザーによって手動で入力されてもよい（すなわち、タッチスクリーン・ディスプレイ４２を使ってタイプされてもよい）し、あるいは圧力支援システム４上で与えられるバーコードおよびポータブル電子装置８にロードされたもしくはソフトウェア・アプリケーション／ツール５４の一部として提供されている好適なバーコード・スキャン／読み取りアプリケーションを使ってスキャンされてもよい。図示した例示的な実施形態では、そのようなバーコード・スキャン／読み取りアプリケーションは、図６に示されるスキャン・ボタン７９を選択することによってトリガーされる。「装置番号」を取得／入力する他の方法も考えられる。たとえば、限定するものではないが、ポータブル電子装置８前記シリアル番号の画像を捕捉し、（たとえばポータブル電子装置８にロードされたまたはソフトウェア・アプリケーション／ツール５４の一部として提供されているアプリケーションにおいて）光学式文字認識を使って「装置番号」を抽出する、あるいはローカル・エリアをブルートゥース（登録商標）またはWi-Fiスキャンして「装置番号」をロードするなど。本例示的実施形態では、入力された「装置番号」は、システム２において一意的である必要はない。むしろ、「リサイクルされた」装置のためのものであってもよい。つまり、その番号は前に第一の、以前の電子メール・アドレス（ユーザー名）とともに使用されたものであり、今は別の、現在の電子メール・アドレス（ユーザー名）とともに使用される。だが、本例示的実施形態では、システム２は、入力された「装置番号」がシステム２によ���て有効である、つまり既知のモデル圧力支援システム４の所定の範囲内にはいるものとして認識されることは要求する。ユーザーはまた、図６に示されるボックス８０および８２に、自分のアカウントと一緒に使用されるべきパスワードを入力し、確認することも求められる。こうして、ユーザーが今述べた情報（電子メール・アドレスおよび「装置番号」を含む）を入力する（そして提出ボタン８４を選択する）ことによってアカウントを作成しようとするとき、中央コンピュータ・システム６は、その電子メール・アドレスが一意的であるかどうかおよび「装置番号」が有効であるかどうかをチェックし、その電子メール・アドレスが一意的でありかつ「装置番号」が有効であると判定される場合にのみ、アカウントの作成を許諾する。これらのチェックのいずれかが失敗した場合には、ユーザーは、その問題を通知されてもよく、ソフトウェア・アプリケーション／ツール５４のヘルプ部分にまたはヘルプ・ウェブサイトにリダイレクトされてもよい。
【００４０】
ユーザーによるソフトウェア・アプリケーション／ツール５４の最初の使用の間、今述べたようにして新規アカウントを作成したのち、第一の使用画面８６が図７に見られるようにタッチスクリーン・ディスプレイ４２上に表示される。図７に示されるように、ユーザーはこれが圧力支援システム４を使う最初であるかどうか（すなわち、これがユーザーの最初の療法セッションであるかどうか）を尋ねられる。ユーザーがボタン８８を選択することによって「Yes」〔はい〕を示す場合、ソフトウェア・アプリケーション／ツール５４はその「最初の夜の案内」部分に進む。これについてはのちに詳述する。ユーザーがボタン９０を選択することによって「No」〔いいえ〕を示す場合でも、ユーザーは、ボタン９２または９４を選択することによって「最初の夜の案内」部分に進む機会を与えられる。
【００４１】
ソフトウェア・アプリケーション／ツール５４の「最初の夜の案内」部分は、ユーザーに、自分の特定の睡眠呼吸障害状態（たとえばOSA）に関し、またユーザーがPAP療法を提供するために使う圧力支援システム４の詳細に関し教育を提供するよう設計される。「最初の夜の案内」部分の第一のセクションでは、最初の夜のビデオ画面９６が図８に見られるようにタッチスクリーン・ディスプレイ４２上で提供される。最初の夜のビデオ画面９６は、ユーザーの睡眠呼吸障害状態およびそのための治療に関係するいくつかのビデオへのリンクを提供する。それらは関連するアイコン９８を選択することによってユーザーによってアクセスされうる。本例示的実施形態では、各アイコン９８は、そのビデオがアクセスされうるサイト（限定するものではないがユーチューブ（登録商標）のようなサードパーティーのコンテンツ共有サイトまたはソフトウェア・アプリケーション／ツール５４もしくは圧力発生システム４の提供者によってもしくはヘルスケア提供者または耐久医療設備（DME:  durable  medical  equipment）供給者によって維持されているサイト）へのリンクである。理解されるであろうが、該リンクを介してアクセスされる実際のビデオは、動的に更新／変更されてもよい（すなわち、コンテンツが動的に更新されてもよい）。また、本例示的実施形態では、ソフトウェア・アプリケーション／ツール５４がバナー１００を介して、「最初の夜の案内」部分の次のセクションに進むために、ユーザーが少なくとも一つのビデオを再生することを推奨する。スキップ・ボタン１０２の選択によって、ユーザーはこの第一のセクションをスキップできる。進行バー１０４が最初の夜のビデオ画面９６上に表示され、ユーザーに対して、「最初の夜の案内」部分において残っているステップ数を示す。さらに、図８において見られるように、ひとたびビデオが閲覧されたら、「チェック」アイコンがその完了を示す。また、ひとたびビデオが閲覧されたら、ユーザーが「最初の夜の案内」部分の次のセクションに進めるようにするために、次ボタン１０６が提供される。
【００４２】
「最初の夜の案内」部分の、「マスク案内」セクションと呼ばれる第二のセクションでは、ユーザーはソフトウェア・アプリケーション／ツール５４に対して、圧力支援システム４において使っている呼吸マスクまたは患者インターフェース２０（図２）の型を示し、その情報に基づいて、ソフトウェア・アプリケーション／ツール５４は、特定の呼吸マスクまたは患者インターフェース２０に関して情報をユーザーに提供する。このプロセスは図９に示されている。図９は、タッチスクリーン・ディスプレイ４２上で提供されるいくつかの例示的なマスク案内画面１０８を通じた進行を示している。図９に示されるように、第一のマスク案内画面１０８Ａは、ユーザーがそこから選択するための種々のマスク型（たとえば、鼻、枕、フルフェース）の一覧１１０を提供する。バナー１１２がユーザーに、一覧１１０から自分のマスク型を選択するよう指示する。ひとたび一覧１１０からのマスク型が選択されたら、第二のマスク案内画面１０８Ｂが、ユーザーがそこから選択するための（たとえばブランド名または製造／モデル番号による）個別的なマスク・モデルの一覧１１４を提供する。バナー１１６がユーザーに、一覧１１４から自分のマスク・モデルを選択するよう指示する。ひとたび一覧１１４からのマスク・モデルが選択されたら、第三のマスク案内画面１０８Ｃが、選択されたマスク・モデルの画像１１８を提供する。第三のマスク案内画面１０８Ｃには、正しければユーザーがマスク・モデルを設定できるようにするためにボタン１２０が設けられている。ボタン１２０の選択（すなわち、特定のマスク・モデルの設定）に応答して、設定されたマスク・モデルに基づいて選択され、それに対応するマスク案内１２２を含む第四のマスク案内画面１０８Ｄが提供される（すなわち、ひとたびマスク・モデルが設定されたら、ソフトウェア・アプリケーション／ツール５４において適切なマスク案内１２２にアクセスする呼び出しが行なわれる）。マスク案内１２２は、設定されたマスク・モデルおよびその使用に関係する情報を提供する。マスク案内１２２は、限定するものではないが、テキスト、写真、図面、ステップごとの指示および／またはビデオを含みうる。第四のマスク案内画面１０８Ｄは、選択されるとユーザーが「最初の夜の案内」部分の次のセクションに進めるようにする完了ボタン１２４をも含んでいる。
【００４３】
上記の図示した実施形態では、マスク型およびモデルが手動のユーザー入力を使って指定される。代替的な実施形態では、マスク型およびモデルは、多数の異なる技術を使って自動的に発見／認識されてもよい。たとえば、限定するものではないが、マスクまたは患者インターフェース２０上で与えられるバーコードをポータブル電子装置８を使って読み取る、あるいはマスクまたは患者インターフェース２０のデジタル画像をポータブル電子装置８を使って（すなわちそこに設けられているデジタル・カメラを用いて）捕捉し、ポータブル電子装置８上で提供される認識ソフトウェアを使って捕捉された画像からマスク型およびモデルを特定するなどである。さらに、圧力支援システム４の他のコンポーネント（たとえば、ガス送達ホース、加湿器、一つまたは複数のフィルタなど）が、今述べた手動入力および／または自動発見／認識によって、ソフトウェア・アプリケーション／ツール５４に対して同定されてもよい。コンポーネント同定の他の具体的な方法も可能である。たとえば、限定するものではないが、梱包材料の写真（画像）、ガス送達ホースの写真（画像）、QRバーコード、ホース／マスク上のテキスト認識を使うこと、ブルートゥース（登録商標）または他の無線対応マスクを探すことおよびコンポーネント（たとえばマスク）を圧力発生装置（たとえばCPAP）に当該コンポーネントの知識をすでに有しているかどうかを問い合わせることを通じて識別することなどである。
【００４４】
「装置案内」セクションと呼ばれる、「最初の夜の案内」部分の第三のセクションでは、ソフトウェア・アプリケーション／ツール５４は、圧力支援システム４の特定の圧力発生装置（図２の点線内の諸コンポーネント）の動作および使用に関して、単数または複数の装置案内画面１２６においてユーザーに情報を提供する。図１０に見られるように、装置案内画面（単数または複数）１２６は、ユーザーのアカウントの作成の間にユーザーによって与えられた「装置番号」情報に基づいて選択される装置案内１２８を含む。装置案内１２８は、限定するものではないが、テキスト、写真、図面、ステップごとの指示および／またはビデオを含みうる。装置案内画面（単数または複数）１２６は、選択されるとユーザーがソフトウェア・アプリケーション／ツール５４の次の部分に進めるようにする完了ボタン１３０をも含んでいる。これは、後述するように、「睡眠」画面とも称される、ソフトウェア・アプリケーション／ツール５４についての「ホーム」画面である。
【００４５】
図１１は、図示した例示的実施形態におけるソフトウェア・アプリケーション／ツール５４の睡眠画面１３０Ａを示している。初めてのユーザーについては、図１１に示されるような睡眠画面１３０Ａが、「最初の夜の案内」部分の完了後に表示される。ユーザーが、本例示的実施形態において、圧力支援装置４からの生データが、本稿の他所で記述されるように患者／療法メトリックに処理されることができるようどのようにして中央コンピュータ・システム６に定期的に提供されるかを決定できるのは、この時点においてである。特に、図１１に見られるように、この段階での睡眠画面１３０Ａは、ユーザーに対して、自分の圧力支援装置４のためのデータ接続方法が確立されなければならないことを示すメッセージ１３２と、ユーザーが種々のデータ接続方法についてもっと知りたい場合にユーザーによって選択されうるメッセージ１３４とを含む。データ接続方法を選択するためには、ユーザーはメッセージ１３２を選択する（「タップする」）必要がある。ユーザーがそうすると、図１２に示されるデータ接続画面１３６Ａがタッチスクリーン・ディスプレイ４２上で提供される。次ボタン１３８を選択することによって、ユーザーは図１２に示されるデータ接続画面１３６Ｂに進むことができる。データ接続画面１３６Ｂは、この限定しない例示的実施形態の異なるデータ接続方法のそれぞれについて一つで、三つのボタン／メッセージ１４０Ａ、１４０Ｂ、１４０Ｃを含む。
【００４６】
より特定的には、ボタン／メッセージ１４０Ａは、圧力支援装置４とポータブル電子装置８との間の短距離無線通信（図示した実施形態ではブルートゥース（登録商標））が用いられるデータ接続のためである。ボタン／メッセージ１４０Ａが選択されたら、図１２に示されるセットアップ画面１４２が表示される。この画面は、そのデータ接続方法についての情報と、ユーザーがそのデータ接続方法をシステム２のための確立された方法として選択しうるボタン１４４とを含む。ボタン／メッセージ１４０Ｂは、圧力支援装置４とPC  １０との間のポータブル・メモリ・デバイス（図示した実施形態ではSDカード）を使ったデータの転送が用いられるデータ接続のためである。ボタン／メッセージ１４０Ｂが選択されたら、図１２に示されるセットアップ画面１４６が表示される。この画面は、そのデータ接続方法についての情報と、ユーザーがそのデータ接続方法をシステム２のための確立された方法として選択しうるボタン１４８とを含む。ボタン／メッセージ１４０Ｃは、圧力支援装置４から中央コンピュータ・システム６へのモデムを使ったデータの転送が用いられるデータ接続のためである。ボタン／メッセージ１４０Ｃが選択されたら、図１２に示されるセットアップ画面１５０が表示される。この画面は、そのデータ接続方法についての情報と、ユーザーがそのデータ接続方法をシステム２のための確立された方法として選択しうるボタン１５２とを含む。
【００４７】
データ接続画面１３６Ｂは、Wi-Fiまたは他の無線接続オプションのような他のデータ接続方法のためのオプション（すなわち、他のボタン／メッセージ）をも含んでいてもよい。さらに、ソフトウェア・アプリケーション／ツール５４は、圧力支援システム４またはシステム２の他の部分の詳細を与えられて、そのユーザーにとっての「最良」の接続方法を提案するよう適応／構成されていてもよい。たとえば、ユーザーによって選択されたときに、圧力支援システム４またはシステム２の他の部分の詳細を与えられたときのそのユーザーにとっての「最良」の接続方法がディスプレイ４２上でユーザーに対して提案されるようなメッセージ／ボタンが、データ接続画面１３６Ｂ上で提供されてもよい。ある実施形態では、提案される「最良」の接続方法は、（本稿で記述されるようにして）前に同定された圧力支援システム４およびポータブル電子装置８の既知の機能に基づいていてもよい。たとえば、圧力支援システム４の「装置番号」（たとえばシリアル番号）が、その圧力支援システム４がブルートゥース（登録商標）またはWi-Fi機能をもち、ポータブル電子装置８もブルートゥース（登録商標）またはWi-Fi機能をもつことを示す場合、ソフトウェア・アプリケーション／ツール５４は、ブルートゥース（登録商標）またはWi-Fiを通じて圧力支援システム４を発見し、それを確立されたデータ接続方法として選択することを提案する。圧力支援システム４の「装置番号」（たとえばシリアル番号）が、その圧力支援システム４がブルートゥース（登録商標）／Wi-Fi／等をサポートしないことを示す場合、ソフトウェア・アプリケーション／ツール５４は、SDカード・オプションを「最良」の接続オプションとして提案する。もう一つの例として、「最良」の接続方法を提案するための上記メッセージ／ボタンの選択に応答して、ポータブル電子装置８が、ブルートゥース（登録商標）、Wi-Fiまたは他の何らかの無線ネットワーク上で利用可能な近くの圧力発生装置（たとえば圧力支援システム４の一部）があるかどうかを見るために無線で探索させられる。もしあれば、ソフトウェア・アプリケーション／ツール５４は、それを確立されたデータ接続方法として選択することを提案する。
【００４８】
ひとたび今述べたようにしてデータ接続方法が選択されたら、ソフトウェア・アプリケーション／ツール５４は図１３に示されるような睡眠画面１３０Ｂを表示する。さらに、睡眠画面１３０Ｂは、最初の使用後（すなわち、上記の初期セットアップ後）、ユーザーがソフトウェア・アプリケーション／ツール５４を立ち上げ、自分のアカウントにログインするたびに表示される画面である。よって、最初の使用後（すなわち、初期セットアップ後）は、睡眠画面１３０Ｂはソフトウェア・アプリケーション／ツール５４のためのホーム画面として機能する。図１３に見られるように、睡眠画面１３０Ｂは二つの主たる領域であるメトリック領域１５４および動的メッセージング領域１５６を含む。
【００４９】
メトリック領域１５４では、睡眠画面１３０Ｂは、本例示的実施形態では中央コンピュータ・システム６によって生成されるある種の患者／療法メトリックに関する情報を表示する。図示した例示的実施形態では、次の三つの患者／療法メトリックが用いられ、それに関係する情報がメトリック領域１５４に表示される：（ｉ）マスク・フィット・メトリック、これは圧力支援システム４によって検出されるマスク漏れの量に基づいて決定されるフィット割合である、（ｉｉ）療法メトリック、これは、睡眠期間中（たとえば夜間）ユーザーによる圧力支援装置４の使用の長さを時間単位で示すもので、圧力支援システム４によって検出される使用データに基づいて決定される、（ｉｉｉ）AHIメトリック、これは圧力支援システム４によって測定されるデータに基づいて決定される睡眠期間（たとえば夜間）についての無呼吸／呼吸低下インデックス（apnea/hypopnea  index）である。当技術分野で知られているように、無呼吸／呼吸低下インデックスは、（無呼吸または呼吸低下）イベント数を、睡眠時間数で割ることによって計算される。上記の三つのメトリックは単に例示的であることが意図されており、本発明の範囲内で、上記のものの代わりのおよび／または上記のものに加えた他の、異なる患者／療法メトリックが用いられてもよいことは理解されるであろう。睡眠画面１３０Ｂにおいて、最も最近の睡眠期間（たとえば前夜）についてのメトリック値がメトリック領域１５４に表示される。
【００５０】
さらに、ユーザーは、グラフィック・アイコンを含む、メトリックの下のボタン領域１５５を選択する（たとえば押して保持する）ことによって、個々のメトリックの任意のものについての履歴にアクセスしうる。これは、睡眠画面１３０Ｃを示す図１４において療法メトリックについて例証されている。図１４に見られるように、図示した実施形態では、八つの期間（たとえば八日）以上のデータが利用可能である場合には、十四の期間（たとえば十四日）の使用についての療法メトリックがグラフィックな形で示される。八つの期間（たとえば八日）未満のデータが利用可能である場合には、データが利用可能な使用期間（たとえば七つの期間（たとえば七日）の使用）についての療法メトリックがグラフィックな形で示される。メトリックについての目標線１５８（これはそのメトリックについてのあらかじめ決定された目標値を表わす）が、ユーザーがすぐ参照できるよう設けられている。本例示的実施形態では、療法メトリックについての目標は次のように駆動される。最初の七つの期間／日、目標＝2時間；その後の七日毎、目標＝1.2×(前の七つの期間／日の全使用)/7時間。同様の履歴データおよび目標がマスク・フィットおよびAHIメトリックについて表示されてもよい。
【００５１】
図１３および図１４において見られるように、動的なメッセージング領域１５６は、動的メッセージ１５８のスケーラブルな一覧を含む。図示した実施形態では、各動的メッセージ１５８は二行のテキストを含み、ソフトウェア・アプリケーション／ツール５４の別の部分をトリガーするおよび／またはサードパーティー・ビデオ・コンテンツのような追加的なコンテンツへのアクセスを提供するリンクを含んでいてもよい。
【００５２】
たとえば、動的メッセージ１５８は、患者／療法メトリックの一つまたは複数に基づいて圧力支援システム４の使用に関する問題または論点を示してもよく、問題についての情報および／または解決策へのリンクを提供してもよい。たとえば、マスク・フィット・メトリックがある閾値レベルより低いと判定される場合（たとえば＜75%）、動的メッセージ１５８はユーザーにその問題を通知し（「マスク・フィットがよくないと思われます」）、どのように漏れ問題に対処するかについての指示、ビデオまたは関連するオンラインの議論のフォーラム（たとえば選択された掲示板）へのリンクおよび／または他の情報を提供するソフトウェア・アプリケーション／ツール５４のトラブルシューティング・セクション／案内（本稿の他所で記載）をトリガーするリンクを提供してもよい。あるいはまた、療法メトリックがある閾値レベルより低いと判定される場合（たとえば＜2時間）、それは、ユーザーがマスク・フィットおよび／または快適さ（たとえば、圧力点、赤い印、マスク不安定、チューブ問題）および／または療法快適さ（呼気の困難、入眠の困難、乾いたまたは濡れた鼻、鼻づまり、ガスによる膨満感、頻繁な覚醒）に関する問題を有していることを示している可能性がある。応答して、ユーザーにその問題を通知し（「あなたの使用が低すぎるようです。これは……のためである可能性があります。」）、どのように使用問題に対処するかについての指示、ビデオまたは関連するオンラインの議論のフォーラム（たとえば選択された掲示板）へのリンクおよび／または他の情報を提供するソフトウェア・アプリケーション／ツール５４のトラブルシューティング・セクション／案内をトリガーするリンクを提供する動的メッセージ１５８が提供されてもよい。本例示的実施形態のある側面によれば、トラブルシューティングは、本稿の他所で記述されたように設定／指定された圧力支援システム４の特定の設備に基づいてカスタマイズされる（たとえば、トラブルシューティング・セクション／案内が、前に設定されたマスク型およびモデル番号に特有なものである）。たとえば、ユーザーは、ユーザーの設備に固有のオンライン議論フォーラム（たとえば掲示板）へのリンクを与えられてもよい。
【００５３】
もう一つの例では、動的メッセージ１５８は、患者／療法メトリックについての新たな目標が設定されたこと（新たな目標はリストされてもよいし、あるいは新たな目標へのリンクが提供されてもよい）または患者／療法メトリックについてのカスタマイズされた目標（本稿の他所で記載）が達成されたことを示してもよい。
【００５４】
さらにもう一つの例では、動的メッセージ１５８は、圧力支援システム４のコンポーネント（たとえば、マスクまたは患者インターフェース２０または送達導路１８または加湿器もしくはフィルタのようなアクセサリー）がクリーニングされる、サービスを受けるおよび／または交換される必要があるという通知を提供してもよい。そのような通知は、単に時間（たとえば月）の経過に基づいていてもよいし、または総合的な実際の使用パラメータ（たとえばある時間数の実際の使用）に基づいていてもよく、ユーザーまたはDME供給者によってカスタム設定されてもよく、またはソフトウェア・アプリケーション／ツール５４におけるデフォルト設定であってもよい。さらに、そのような通知は、注文オプションへのリンクを提供してもよい（たとえば、通知を押すのを選択すると、ユーザーがDME固有の注文ウェブサイトにプッシュされるまたは自動的な（電子的）注文が所定のDME供給業者にプッシュされる）。
【００５５】
さらにもう一つの例では、動的メッセージ１５８は、一つまたは複数のビデオを見るまたはソフトウェア・アプリケーション／ツール５４の装置案内および／またはマスク案内部分にアクセスしてそれを使うことの推薦を含んでいてもよい（これらも、本稿の他所で記載されるように設定／指定された圧力支援システム４の特定の設備についてカスタマイズされる）。そのような動的メッセージ１５８の内容は、内容（その特定のビデオ・コンテンツまたはその特定の装置案内および／またはマスク案内の内容）が古びないよう、時間とともに、ソフトウェア・アプリケーション／ツール５４の提供者によってまたはDME供給者によって更新されてもよく、関連するDME供給者ごとにカスタマイズされることができる。また、動的メッセージ１５８は、圧力発生システム４において使うコンポーネントについて広告するために使われてもよい（たとえば、最新のマスク・デザイン……「発売中の最新のフルフェース・マスクをお見せします」）。
【００５６】
さらにもう一つの例では、動的メッセージ１５８は、本例示的実施形態では中央コンピュータ・システム６によって生成される患者／療法メトリック（たとえばモニタリングされるAHI）について、あるいは患者の可能な生理的状態に対応する圧力支援システム４からの他の任意のモニタリングされるパラメータについて、ある種の提案を含んでいてもよい。たとえば、患者が、最近チェーン・ストークス呼吸（CSR:  Cheyne-Stokes  respiration）にある夜のずっと高い割合を示しているまたはより高いAHIまたは他の任意のモニタリングされるパラメータを有する場合、ソフトウェア・アプリケーション／ツール５４は、患者に医師またはDME供給者に接触することを促すおよび／または患者を質問票（息切れしますか？歩いている間に呼吸に困難を感じますか？）にプッシュする動的メッセージ１５８を生成するよう構成されていてもよい。該質問票は次いで、モニタリングされるパラメータ（単数または複数）および質問票が医学的状態（たとえば喘息、肺水腫など）の悪化の可能性が高いことを示唆する場合には、医師に連絡することに導く。
【００５７】
さらに、さらに、図１１、図１３および図１４に見られるように、中でも、タッチスクリーン・ディスプレイ４２の下部にナビゲーション・セクション１６０が設けられる。ナビゲーション・セクション１６０はいくつかのタブ（図示した実施形態では「睡眠」、「目標」、「学習」、「コーチ」および「ケア」とラベル付けされている）を含む。各タブは、ソフトウェア・アプリケーション／ツール５４の主要な部分に対応する。それらのタブの選択により、ユーザーはソフトウェア・アプリケーション／ツール５４のそれらの部分に選択的にナビゲートできる。こうして、「睡眠」タブの選択は、ユーザーを睡眠画面１３０Ｂ（図１３）に連れて行く。
【００５８】
あるさらなる側面によれば、ソフトウェア・アプリケーション／ツール５４は「目標」部分も含む。ここでは、ユーザーは患者／療法メトリックに基づいて目標を設定し、それらの目標に向けた進行を追跡することができる。ユーザーは、ナビゲーション・セクション１６０の「目標」タブを選択することによって、「目標」部分にアクセスしうる。図１５に示される目標画面１６２Ａは、「目標」タブが選択されるときにタッチスクリーン・ディスプレイ４２上に表示される。目標画面１６２Ａは、下記で述べる「目標」部分のさまざまなセクションの間でのナビゲーションを可能にするタブを有するナビゲーション・セクション１６４を含む。
【００５９】
「私の目標」セクションでは、いくつかの目標セクション１６６が表示される。各目標セクション１６６は、患者／療法メトリックに基づく特定の目標に対応し、各目標セクションは、それらの目標に向けた進行を追跡する進行バー１６８を含む。本例示的実施形態では、四つのあらかじめ決定された目標カテゴリーが利用され（図１５に示される）、ユーザーは各カテゴリーについて目標値をカスタム設定することができる。それらの目標カテゴリーは：（ｉ）月における圧力支援システム４の4+時間の使用がある日数、（ｉｉ）圧力支援システム４の連続使用日数、（ｉｉｉ）圧力支援システム４の4+時間の使用がある連続日数、および（ｉｖ）＞75%のマスク・フィットでの圧力支援システム４の連続使用日数。他の目標カテゴリーも可能であることは理解されるであろう。本例示的実施形態では、各目標セクション１６６における各進行バー１６８は、中央コンピューティング・システム６から受領されるメトリック・データに基づいて定期的に（たとえば毎日）更新される。本例示的実施形態では、ユーザーは、図１６に示されるように目標設定画面１７０を使って各目標セクション１６６についての目標値を設定および変更することができる。各目標設定画面１７０は、対応する目標セクション１６６を選択することによってアクセスされてもよく、「−」および「＋」ボタン１７１および１７３はそれぞれ、目標値を調整するために使用されうる。あるいはまた、ソフトウェア・アプリケーション／ツール５４は、圧力支援システム４によって測定されたデータおよび／または以前の患者／療法メトリック値に基づいて自動的に目標を設定するよう構成されていてもよい。
【００６０】
図１７を参照するに、目標セクション１６６における目標が達成されると、目標画面１６２Ａに、完了ボタン１７４および達成アイコン（たとえばカップ）１７６を含むメッセージ１７２が提供される。本例示的実施形態では、ユーザーが目標画面１６２Ａ上で与えられる完了ボタン１７４を選択する（押す）場合、達成アイコン１７６が図１８に示されるようなナビゲーション・セクション１６４の達成タブにアニメーションで移行する。ユーザーがナビゲーション・セクション１６４の達成タブを選択すると、達成された目標全部のリスト１７８が図１９に示される目標画面１６２Ｂ上で与えられる。図１９において見られるように、各達成された目標は、関連付けられた達成目標セクション１８０において与えられる。このセクションが本例示的実施形態では達成された目標を記述する。図１９に示されるように、いずれかの特定の達成目標セクション１８０を選択すると、二つの行動アイコン、つまりメール・アイコン１８４およびごみ箱アイコン１８６を含むメニュー１８２がアクティブ化される。図２０に示されるように、メール・アイコン１８４を選択すると、ポータブル電子装置８の電子メール・アプリケーションがアクティブ化され、あらかじめ選択された単数または複数の受信者に当てられた電子メール・メッセージ１８８がメッセージにあらかじめ入れられている状態になり、ユーザーが特定の目標を達成したことを示す。このように、ユーザーは、そのような達成の知らせを受け取る一または複数の個人（たとえば、親または子のような家族または友人）を指定することができ、それにより、知らせを受ける人は圧力支援システム４の実際の使用およびユーザーが受ける療法について最新情報を伝えられることができる。代替的な実施形態では、限定するものではないがツイッター（登録商標）およびフェイスブック（登録商標）のようなソーシャル・メディア・アウトレット／サイト上でユーザーが特定の目標を達成したことを示すメッセージ（たとえば図２１に示されるメッセージ１９０）を自動的に生成し、ポストするための、あるいはショート・メッセージ・サービスのメッセージ（SMS）またはマルチメディア・メッセージング・サービス（MMS）のような代替的な電子メッセージング・サービスを使ってメッセージを自動的に生成し、（一または複数のあらかじめ決定された個人に）送るための追加的なアイコンが設けられることができる。ごみ箱アイコン１８６を選択すると、関連付けられた達成目標セクション１８０は削除される。
【００６１】
今述べた目標の達成に加えて、限定するものではないが本稿で記載される患者／療法メトリックのような他の療法情報が、ポータブル電子装置８によって、自動的かつ定期的に一または複数の個人（たとえば、患者、ホームケア提供者および医師以外の第三者）におよび／またはソーシャル・メディア・アウトレット／サイトに電子メールで送られてもよい。
【００６２】
あるさらなる側面によれば、ソフトウェア・アプリケーション／ツール５４は「学習」部分をも含む。ここでは、ユーザーは、自分の睡眠呼吸障害の状態および／またはその状態を治療するために使っている圧力支援システム４についての情報を得ることができる。ユーザーは、ナビゲーション・セクション１６０の「学習」タブを選択することによって、「学習」部分にアクセスしうる。図２２に示される学習画面１９２Ａは、「学習」タブが選択されるときにタッチスクリーン・ディスプレイ４２上に表示される。学習画面１９２Ａは、下記で述べる「学習」部分のさまざまなセクションの間でのナビゲーションを可能にするタブ（「無呼吸」「設備」「トラブルシューティング」）を有するナビゲーション・セクション１９４を含む。
【００６３】
「無呼吸」タブが選択されると、図２２に示されるようなリスト１９６が提供される。このリストは、ユーザーの睡眠呼吸障害の状態（たとえばOSA）に関係する教育用のビデオおよび／または文書へのいくつかのリンクを含む。同様に、「設備」タブが選択されると、（学習画面１９２Ｂ上の）図２３に示されるようなリスト１９８が提供される。このリストは、ユーザーによって使用されている圧力支援システム４の個別的なコンポーネントに関する教育用のビデオおよび／または文書へのいくつかのリンクを含む。さらに、図２３に見られるように、リスト１９８は、本稿の他所で記載されるソフトウェア・アプリケーション／ツール５４の「装置案内」および「マスク案内」セクションへのリンクをも含む。ここでもまた、「装置案内」および「マスク案内」セクションは、本稿の他所で記述されるようにユーザーによって設定されたところの、ユーザーによって使用されている圧力支援システム４のコンポーネントに固有である。「トラブルシューティング」タブが選択されると、ユーザーはソフトウェア・アプリケーション／ツール５４によって、圧力支援システム４を使う療法の間にユーザーが経験していることがありうるさまざまな問題に対処するための階層状のオプションを通じて案内される。最終的には、ビデオ・リンクまたは文書で終わる。本例示的実施形態では、対処されうる（そして提案される解決策が与えられる）問題は、マスク漏れ、マスク不快さ、睡眠中のマスクの外れ、マスク不安定、ユーザーの顔面上の圧力点／印、呼気の困難、入眠の困難、不十分な療法圧力、動きの制約および重い感覚などのチューブの問題ならびに乾いたまたは濡れた鼻、鼻づまり、ガスによる膨満感および／または頻繁な覚醒といった副作用を含む。本例示的実施形態のある側面によれば、トラブルシューティングは、本稿の他所で記述されるように設定／指定された圧力支援システム４の特定の設備に基づいてカスタマイズされる（たとえば、トラブルシューティングは、事前に設定されたマスク型およびモデル番号ならびに圧力支援システム４の圧力発生装置のモデルに固有なものとなる）。
【００６４】
本例示的実施形態のさらにもう一つの側面では、ソフトウェア・アプリケーション／ツール５４は「コーチ」部分も含む。ここでは、ユーザーによるよりよい療法遵守を促すために、動機付け強化療法（MET:  Motivational  Enhancement  Therapy）が用いられる。ユーザーは、ナビゲーション・セクション１６０の「コーチ」タブを選択することによって、「コーチ」部分にアクセスしうる。「コーチ」部分は、患者に圧力支援療法を使う動機について患者固有の質問をし、ひとたび患者が治療を始めたら、患者自身の答えを送達することによって、遵守を高めることをねらいとした独自技術である。「コーチ」部分は、あらかじめ決定された「仮想介入（virtual  interventions）」において特定のプロトコルを通じて患者を案内する。本例示的実施形態では、仮想介入が行なわれるのは、療法メトリックに基づいて、前の関連する期間の間に患者が圧力支援システム４を使ったのがある時間（たとえば2時間）未満であると判別されたときである。また、本例示的実施形態では、次の三つのMET技法が組み込まれる。（ｉ）動機、ここでは、仮想介入点（たとえば初めて患者の使用が低くなったとき）において、睡眠療法を使う患者の動機が1〜10のスケール上でレート付けされ、次いで患者がそのレート付け、特に療法を使うことについての主たる動機について質問される、（ｉｉ）心臓リスク、ここでは、別の仮想介入点（たとえば二回目に患者の使用が低くなるとき）において、その患者は、諸患者の死亡率を比較する研究を使って教育され、次いで患者はその研究のデータからどのように影響されたかを質問される、（ｉｉｉ）気持ち、ここでは、別の仮想介入点（たとえば三回目に患者の使用が低くなるとき）において、患者は無呼吸イベントを経験している実際の患者のビデオ・クリップを見せられ、次いで患者はビデオを見てどのような気持ちになったかについて質問される。その後、ソフトウェア・アプリケーション／ツール５４のある側面によれば、療法メトリックに基づいて、前の関連する期間の間にその患者が圧力支援システム４を使ったのがある時間（たとえば2時間）未満であると判別されたとき、患者は（ｉ）（自分が入力した）療法を使う主たる動機、（ｉｉ）（自分が入力した）上記研究のデータからどのように影響されたかについての自分の陳述および（ｉｉｉ）実際の無呼吸を患う患者のビデオを見てどう感じたかについての自分の陳述のうちの一つまたは複数のリマインダー／通知を与えられてもよい。
【００６５】
本例示的実施形態のさらにもう一つの側面では、ソフトウェア・アプリケーション／ツール５４は「ケア」部分をも含む。ここでは、患者のホームケア提供者が、患者が該提供者に連絡できる機構（たとえば該提供者のロゴを印したもの）を提供することを選んでもよい。ユーザーは、ナビゲーション・セクション１６０の「ケア」タブを選択することによって、「ケア」部分にアクセスしうる。図示した実施形態では、ユーザーがナビゲーション・セクション１６０の「ケア」タブを選択すると、図２４に示されるケア画面２００がタッチスクリーン・ディスプレイ４２上に与えられる。ケア画面２００は、呼び出し（call）ボタン２０２および電子メール・ボタン２０４を含む。呼び出しボタン２０２を選択すると、ポータブル電子装置８の電話アプリケーションがアクティブ化され、ユーザーのホームケア提供者に電話がかけられる。電子メール・ボタン２０４を選択すると、ポータブル電子装置８の電子メール・アプリケーションがアクティブ化され、ホームケア提供者の電子メール・アドレスへの電子メールが生成される。該電子メールは、質問などを含めるようユーザーが書き込むことのできる部分をもつ。
【００６６】
このように、本稿で詳細に述べたように、システム２は、呼吸療法装置の使用を必要とする状態（たとえばOSA、CSA、CSR、COPのような睡眠呼吸障害の状態または家庭換気療法を必要とする状態）を患っている患者が自分の状態および治療を管理するための、任意の、使いやすい、ソフトウェア・ベースの機構を、患者の状態および患者の固有の療法に関するカスタマイズ／パーソナル化された教育およびフィードバックを提供することによって、提供する。ここで、該機構の使用は、療法遵守を高め、よって治療を改善する可能性が高い。
【００６７】
請求項において、括弧に入れた参照符号があったとしても、その請求項を限定するものと解釈してはならない。「有する」または「含む」の語は、請求項に挙げられている以外の要素や段階の存在を排除しない。いくつかの手段を列挙している装置請求項において、それらの手段のいくつかは、同一のハードウェア品目によって具現されてもよい。要素の単数形の表現はそのような要素の複数の存在を排除しない。いくつかの手段を列挙するいかなる装置請求項においても、それらの手段のいくつかは、同一のハードウェア品目によって具現されてもよい。ある種の要素が互いに異なる従属請求項に記載されているというだけの事実が、それらの要素が組み合わせて使用できないことを示すものではない。
【００６８】
本発明について、例解のために、現在のところ最も実際的で好ましい実施形態であると考えられるものに基づいて詳細に説明してきたが、そのような詳細はあくまでもその目的のためであって、本発明は開示される実施形態に限定されるものではなく、逆に、付属の請求項の精神および範囲内にある修正および等価な構成をカバーすることが意図されていることは理解しておくものとする。たとえば、本発明が、可能な限りにおいて、任意の実施形態の一つまた複数の事項が他の任意の実施形態の一つまたは複数の事項と組み合わされることができることを考えている。
【００６９】
いくつかの態様を記載しておく。
〔態様１〕
患者に情報を提供する方法であって、患者は、呼吸ガスの流れを患者に送達することによって患者の状態を処置するよう患者に療法を提供するよう構成された圧力支援システムを使い、当該方法は：
コンピューティング装置において、前記圧力支援システムの一つまたは複数の特定のコンポーネントを同定する第一の情報を受領する段階と；
前記コンピューティング装置において、療法の提供中に前記圧力支援システムによって測定されるデータが前記圧力支援システムから該データが処理される位置に転送されるデータ接続法を同定する第二の情報を受領する段階と；
前記コンピューティング装置のディスプレイ上に第三の情報を表示する段階とを含み、前記第三の情報は、（ｉ）前記圧力支援システムの使用または前記圧力支援システムについてのケアに関する情報、（ｉｉ）前記圧力支援システムからのデータを転送することに関する情報および（ｉｉｉ）前記圧力支援システムの使用に関する問題の一つまたは複数の解決策に関する情報のうちの一つであり、前記第三の情報は、前記第一の情報および前記第二の情報の一方または両方に基づいて選択される、
方法。
〔態様２〕
前記コンピューティング装置において患者／療法メトリック・データを取得する段階であって、前記患者／療法メトリック・データは、患者への療法の提供の間に前記圧力支援システムによって測定される前記データを処理することによって形成される、段階と、
前記患者／療法メトリック・データを前記コンピューティング装置のディスプレイ上で表示する段階とをさらに含む、
態様１記載の方法。
〔態様３〕
前記患者／療法メトリック・データが前記ディスプレイ上の第一の画面（１３０Ｂ）のメトリック領域に表示され、前記第三の情報が前記第一の画面の動的メッセージング領域に同時に表示される、態様２記載の方法。
〔態様４〕
前記患者／療法メトリック・データが、（ｉ）マスク漏れの度合いに関係する第一のメトリック、（ｉｉ）前記圧力支援装置の使用の長さを示す第二のメトリックおよび（ｉｉｉ）患者の状態の重篤さまたは状況を示す第三のメトリックのうちの少なくとも一つである、態様２記載の方法。
〔態様５〕
前記第一のメトリックがマスク漏れの測定に基づくマスク・フィット・メトリックであり、前記第三のメトリックがある時間期間の間に患者が経験した無呼吸および／または呼吸低下イベントの数に関係する、態様４記載の方法。
〔態様６〕
前記第三のメトリックが無呼吸／呼吸低下インデックスである、態様３記載の方法。
〔態様７〕
前記患者／療法メトリック・データが、（ｉ）マスク漏れの度合いに関係する第一のメトリック、（ｉｉ）前記圧力支援装置の使用の長さを示す第二のメトリックおよび（ｉｉｉ）患者の状態の重篤さまたは状況を示す第三のメトリックを含む、態様２記載の方法。
〔態様８〕
前記圧力支援システムの前記一つまたは複数の特定のコンポーネントが、特定のマスクまたは特定の圧力発生装置を含み、前記第一の情報が前記特定のマスクを同定する情報または前記特定の圧力発生装置を同定する情報を含む、態様１記載の方法。
〔態様９〕
前記第三の情報が前記特定の圧力発生装置の動作および使用に関する、テキストと、ビデオへの一つまたは複数のリンクとのうちの少なくとも一方を含む装置案内を含む、態様８記載の方法。
〔態様１０〕
前記第三の情報が前記特定のマスクの使用に関する、テキストと、ビデオへの一つまたは複数のリンクとのうちの少なくとも一方を含むマスク案内を含む、態様８記載の方法。
〔態様１１〕
前記第三の情報が、前記圧力発生システムの使用に関する問題に対処するための情報を提供する、態様１記載の方法。
〔態様１２〕
前記第三の情報が、前記第一の情報および前記患者／療法メトリック・データに基づく、態様２記載の方法。
〔態様１３〕
前記第三の情報が、前記圧力発生システムの使用に関する問題に対処するための情報を提供する、態様９記載の方法。
〔態様１４〕
前記特定のマスクを同定する前記情報または特定の圧力発生装置を同定する前記情報が、前記コンピューティング装置において、前記コンピューティング装置への手動入力、前記コンピューティング装置において画像を処理することによる自動認識、前記圧力支援システムから前記コンピューティング装置において情報を有線もしくは無線で受信することによる自動認識のうちの一つまたは複数を通じて受領される、態様８記載の方法。
〔態様１５〕
患者に情報を提供するよう構成されたコンピューティング装置であって、患者は、呼吸ガスの流れを患者に送達することによって患者の状態を処置するよう患者に療法を提供するよう構成された圧力支援システムを使い、当該コンピューティング装置は：
ディスプレイと；
プロセッサおよびメモリを含むプロセッサ装置とを有し、前記メモリは前記プロセッサによって実行可能な一つまたは複数のルーチンを記憶し、前記一つまたは複数のルーチンは：
前記圧力支援システムの一つまたは複数の特定のコンポーネントを同定する第一の情報を受領する段階と；
療法の提供中に前記圧力支援システムによって測定されるデータが前記圧力支援システムから該データが処理される位置に転送されるデータ接続法を同定する第二の情報を受領する段階と；
前記ディスプレイ上に第三の情報を表示する段階とを実行するために適応されており、前記第三の情報は、（ｉ）前記圧力支援システムの使用または前記圧力支援システムについてのケアに関する情報、（ｉｉ）前記圧力支援システムからのデータを転送することに関する情報および（ｉｉｉ）前記圧力支援システムの使用に関する問題の一つまたは複数の解決策に関する情報のうちの一つであり、前記第三の情報は、前記第一の情報および前記第二の情報の一方または両方に基づいて選択される、
コンピューティング装置。
〔態様１６〕
当該コンピューティング装置がポータブル電子装置およびパーソナル・コンピュータのうちの一つである、態様１５記載のコンピューティング装置。
〔態様１７〕
前記一つまたは複数のルーチンがさらに、
患者／療法メトリック・データを取得する段階であって、前記患者／療法メトリック・データは、患者への療法の提供の間に前記圧力支援システムによって測定される前記データを処理することによって形成される、段階と、
前記患者／療法メトリック・データを前記ディスプレイ上で表示する段階とを実行するために適応されている、
態様１５記載のコンピューティング装置。
〔態様１８〕
前記患者／療法メトリック・データが前記ディスプレイ上の第一の画面のメトリック領域に表示され、前記第三の情報が前記第一の画面の動的メッセージング領域に同時に表示される、態様１７記載のコンピューティング装置。
〔態様１９〕
前記患者／療法メトリック・データが、（ｉ）マスク漏れの度合いに関係する第一のメトリック、（ｉｉ）前記圧力支援装置の使用の長さを示す第二のメトリックおよび（ｉｉｉ）患者の状態の重篤さまたは状況を示す第三のメトリックのうちの一つである、態様１７記載のコンピューティング装置。
〔態様２０〕
前記第一のメトリックがマスク漏れの測定に基づくマスク・フィット・メトリックであり、前記第三のメトリックがある時間期間の間に患者が経験した無呼吸および／または呼吸低下イベントの数に関係する、態様１９記載のコンピューティング装置。
〔態様２１〕
前記第三のメトリックが無呼吸／呼吸低下インデックスである、態様２０記載のコンピューティング装置。
〔態様２２〕
前記患者／療法メトリック・データが、（ｉ）マスク漏れの度合いに関係する第一のメトリック、（ｉｉ）前記圧力支援装置の使用の長さを示す第二のメトリックおよび（ｉｉｉ）患者の状態の重篤さまたは状況を示す第三のメトリックを含む、態様１７記載のコンピューティング装置。
〔態様２３〕
前記圧力支援システムの前記一つまたは複数の特定のコンポーネントが、特定のマスクまたは特定の圧力発生装置を含み、前記第一の情報が前記特定のマスクを同定する情報または前記特定の圧力発生装置を同定する情報を含む、態様１５記載のコンピューティング装置。
〔態様２４〕
前記第三の情報が前記特定の圧力発生装置の動作および使用に関する、テキストと、ビデオへの一つまたは複数のリンクとのうちの少なくとも一方を含む装置案内を含む、態様２３記載のコンピューティング装置。
〔態様２５〕
前記第三の情報が前記特定のマスクの使用に関する、テキストと、ビデオへの一つまたは複数のリンクとのうちの少なくとも一方を含むマスク案内を含む、態様２３記載のコンピューティング装置。
〔態様２６〕
前記第三の情報が、前記圧力発生システムの使用に関する問題に対処するための情報を提供する、態様１５記載のコンピューティング装置。
〔態様２７〕
前記第三の情報が、前記第一の情報および前記患者／療法メトリック・データに基づく、態様１７記載のコンピューティング装置。
〔態様２８〕
前記第三の情報が、前記圧力発生システムの使用に関する問題に対処するための情報を提供する、態様２７記載のコンピューティング装置。
〔態様２９〕
一つまたは複数のルーチンが、前記特定のマスクを同定する前記情報または特定の圧力発生装置を同定する前記情報が、前記コンピューティング装置において、前記コンピューティング装置への手動入力、前記コンピューティング装置において画像を処理することによる自動認識、前記圧力支援システムから前記コンピューティング装置において情報を有線もしくは無線で受信することによる自動認識のうちの一つまたは複数を通じて受領されることを可能にするよう適応されている、態様２３記載のコンピューティング装置。
〔態様３０〕
患者に情報を提供する方法であって、患者は、呼吸ガスの流れを患者に送達することによって患者の状態を処置するよう患者に療法を提供するよう構成された圧力支援システムを使い、当該方法は：
コンピューティング装置において、前記圧力支援システムを使う処置に関する患者／療法メトリックに基づく目標を確立する段階と；
前記コンピューティング装置において、患者／療法メトリック・データを取得する段階であって、前記患者／療法メトリック・データは、患者への療法の提供中に前記圧力支援システムによって測定されるデータを処理することによって形成される、段階と；
前記コンピューティング装置のディスプレイ上に目標情報を表示する段階とを含み、前記目標情報は、前記目標に向けた進行を示し、前記患者／療法メトリック・データに基づく、
方法。
〔態様３１〕
前記患者／療法メトリック・データが、（ｉ）マスク漏れの度合いに関係する第一のメトリック、（ｉｉ）前記圧力支援装置の使用の長さを示す第二のメトリックおよび（ｉｉｉ）患者の状態の重篤さまたは状況を示す第三のメトリックのうちの少なくとも一つである、態様３０記載の方法。
〔態様３２〕
前記第一のメトリックがマスク漏れの測定に基づくマスク・フィット・メトリックであり、前記第三のメトリックがある時間期間の間に患者が経験した無呼吸および／または呼吸低下イベントの数に関係する、態様３１記載の方法。
〔態様３３〕
前記第三のメトリックが無呼吸／呼吸低下インデックスである、態様３２記載の方法。
〔態様３４〕
前記患者／療法メトリック・データが、（ｉ）マスク漏れの度合いに関係する第一のメトリック、（ｉｉ）前記圧力支援装置の使用の長さを示す第二のメトリックおよび（ｉｉｉ）患者の状態の重篤さまたは状況を示す第三のメトリックを含む、態様３０記載の方法。
〔態様３５〕
前記目標が、（ｉ）ある時間期間における前記圧力支援システムの少なくともある量の使用がある日数、（ｉｉ）前記圧力支援システムの連続使用日数、（ｉｉｉ）前記圧力支援システムの少なくとも前記ある量の使用がある連続日数、および（ｉｖ）前記第一のメトリックが少なくともある値である前記圧力支援システムの連続使用日数のうちの一つである、態様３１記載の方法。
〔態様３６〕
前記目標が達成されたと判定するのに応答して、前記コンピューティング装置において、前記目標が達成されたことを示す電子メッセージを自動的に生成する段階をさらに含む、態様３０記載の方法。
〔態様３７〕
前記電子メッセージが：（ｉ）所定の受取人に向けられた電子メール・メッセージ、SMSメッセージまたはMMSメッセージおよび（ｉｉ）所定の公にアクセス可能なサードパーティー・オンライン・システム上にポストされるメッセージの少なくとも一つである、態様３６記載の方法。
〔態様３８〕
前記コンピューティング装置がポータブル電子装置またはパーソナル・コンピュータのうちの一つである、態様３０記載の方法。
〔態様３９〕
前記コンピューティング装置において患者／療法メトリック・データを取得する前記段階が、前記コンピューティング装置および前記圧力支援システムからリモートなコンピュータ・システムから前記装置患者／療法メトリック・データを受領することを含む、態様３０記載の方法。
〔態様４０〕
前記コンピュータ・システムが前記装置患者／療法メトリック・データを形成する、態様３９記載の方法。
〔態様４１〕
（ｉ）前記コンピュータ・システムが、前記圧力支援システムによって測定された前記データを、前記コンピューティング装置から受領し、前記コンピューティング装置は前記圧力支援システムによって測定された前記データを前記圧力支援システムから直接受領する、
（ｉｉ）前記コンピュータ・システムが、前記圧力支援システムによって測定された前記データを、前記圧力支援システムから直接受領する、または
（ｉｉｉ）前記コンピュータ・システムが、前記圧力支援システムによって測定された前記データを、パーソナル・コンピュータから受領し、前記パーソナル・コンピュータは前記圧力支援システムによって測定された前記データを前記圧力支援システムから直接受領する、
態様３８記載の方法。
〔態様４２〕
態様４１記載の方法であって、（ｉ）の場合、前記コンピューティング装置は、前記圧力支援システムによって測定された前記データを前記圧力支援システムから、短距離無線伝送によって直接受領し、（ｉｉｉ）の場合、前記パーソナル・コンピュータは、前記圧力支援システムによって測定された前記データを前記圧力支援システムから、ポータブル・メモリ・デバイスを使った転送によりまたは短距離無線通信により、直接受領する、方法。
〔態様４３〕
前記コンピューティング装置において目標を確立する前記段階が、（ｉ）前記目標を確立する前記コンピューティング装置への入力を受領すること、（ｉｉ）前記圧力支援装置によって測定されたある種のデータおよび／または過去の患者／療法メトリック・データに基づいて前記コンピューティング装置において前記目標を自動的に設定すること、の少なくとも一方である、態様３０記載の方法。
〔態様４４〕
患者に情報を提供するよう構成されたコンピューティング装置であって、患者は、呼吸ガスの流れを患者に送達することによって患者の状態を処置するよう患者に療法を提供するよう構成された圧力支援システムを使い、当該コンピューティング装置は：
ディスプレイと；
プロセッサおよびメモリを含むプロセッサ装置とを含み、前記メモリは前記プロセッサによって実行可能な一つまたは複数のルーチンを記憶し、前記一つまたは複数のルーチンは：
前記圧力支援システムを使う処置に関する患者／療法メトリックに基づく目標を確立する段階と；
患者／療法メトリック・データを取得する段階であって、前記患者／療法メトリック・データは、患者への療法の提供中に前記圧力支援システムによって測定されるデータを処理することによって形成される、段階と；
目標情報を生成する段階であって、前記目標情報は、前記目標に向けた進行を示し、前記患者／療法メトリック・データに基づく、段階と；
前記ディスプレイに前記目標情報を表示させる段階とを実行するために適応されている、
コンピューティング装置。
〔態様４５〕
当該コンピューティング装置がポータブル電子装置またはパーソナル・コンピュータのうちの一つである、態様４４記載のコンピューティング装置。
〔態様４６〕
前記患者／療法メトリック・データが、（ｉ）マスク漏れの度合いに関係する第一のメトリック、（ｉｉ）前記圧力支援装置の使用の長さを示す第二のメトリックおよび（ｉｉｉ）患者の状態の重篤さまたは状況を示す第三のメトリックのうちの少なくとも一つである、態様４４記載のコンピューティング装置。
〔態様４７〕
前記第一のメトリックがマスク漏れの測定に基づくマスク・フィット・メトリックであり、前記第三のメトリックがある時間期間の間に患者が経験した無呼吸および／または呼吸低下イベントの数に関係する、態様４６記載のコンピューティング装置。
〔態様４８〕
前記患者／療法メトリック・データが、（ｉ）マスク漏れの度合いに関係する第一のメトリック、（ｉｉ）前記圧力支援装置の使用の長さを示す第二のメトリックおよび（ｉｉｉ）患者の状態の重篤さまたは状況を示す第三のメトリックを含む、態様４４記載のコンピューティング装置。
〔態様４９〕
前記第三のメトリックが無呼吸／呼吸低下インデックスである、態様４７記載のコンピューティング装置。
〔態様５０〕
前記目標が、（ｉ）ある時間期間における前記圧力支援システムの少なくともある量の使用がある日数、（ｉｉ）前記圧力支援システムの連続使用日数、（ｉｉｉ）前記圧力支援システムの少なくとも前記ある量の使用がある連続日数、および（ｉｖ）前記第一のメトリックが少なくともある値である前記圧力支援システムの連続使用日数のうちの一つである、態様４６記載のコンピューティング装置。
〔態様５１〕
前記一つまたは複数のルーチンがさらに、前記目標が達成されたと判定するのに応答して、前記コンピューティング装置に、前記目標が達成されたことを示す電子メッセージを自動的に生成させるよう適応されている、態様４４記載のコンピューティング装置。
〔態様５２〕
前記電子メッセージが：（ｉ）所定の受取人に向けられた電子メール・メッセージ、SMSメッセージまたはMMSメッセージおよび（ｉｉ）所定の公にアクセス可能なサードパーティー・オンライン・システム上にポストされるメッセージの少なくとも一つである、態様５０記載のコンピューティング装置。
〔態様５３〕
前記一つまたは複数のルーチンが、当該コンピューティング装置および前記圧力支援システムからリモートなコンピュータ・システムから前記装置患者／療法メトリック・データを受領することによって、前記患者／療法メトリック・データを取得するよう適応されている、態様４４記載のコンピューティング装置。
〔態様５４〕
呼吸ガスの流れを患者に送達することによって患者の状態を処置するよう患者に療法を提供するよう構成された圧力支援システムの、患者による使用に関する情報を報告する方法であって：
前記圧力支援システムとは別個のコンピューティング装置において、患者／療法メトリック・データを取得する段階であって、前記患者／療法メトリック・データは、患者への療法の提供中に前記圧力支援システムによって測定されるデータを処理することによって形成される、段階と；
前記コンピューティング装置において、前記患者／療法メトリック・データに基づく、前記コンピューティング装置から送出するための電子メッセージを自動的に生成する段階とを含む、
方法。
〔態様５５〕
前記電子メッセージが：（ｉ）所定の受取人に向けられた電子メール・メッセージ、SMSメッセージまたはMMSメッセージおよび（ｉｉ）所定の公にアクセス可能なサードパーティー・オンライン・システム上にポストされるメッセージの少なくとも一つである、態様５４記載の方法。
〔態様５６〕
前記コンピューティング装置がポータブル電子装置およびパーソナル・コンピュータのうちの一つである、態様５４記載の方法。
〔態様５７〕
前記コンピューティング装置において、前記装置患者／療法メトリック・データを取得する前記段階が、前記コンピューティング装置および前記圧力支援システムからリモートなコンピュータ・システムから前記装置患者／療法メトリック・データを受領することを含む、態様５４記載の方法。
〔態様５８〕
呼吸ガスの流れを患者に送達することによって患者の状態を処置するよう患者に療法を提供するよう構成された圧力支援システムの、患者による使用に関する情報を報告するよう構成されたコンピューティング装置であって、当該コンピューティング装置は前記圧力支援システムとは別個であり、
ディスプレイと；
プロセッサおよびメモリを含むプロセッサ装置とを有しており、前記メモリは前記プロセッサによって実行可能な一つまたは複数のルーチンを記憶し、前記一つまたは複数のルーチンは：
患者／療法メトリック・データを取得する段階であって、前記患者／療法メトリック・データは、患者への療法の提供中に前記圧力支援システムによって測定されるデータを処理することによって形成される、段階と；
前記患者／療法メトリック・データに基づく、前記コンピューティング装置から送出するための電子メッセージを自動的に生成する段階とを実行するために適応されている、
コンピューティング装置。
〔態様５９〕
前記電子メッセージが：（ｉ）所定の受取人に向けられた電子メール・メッセージ、SMSメッセージまたはMMSメッセージおよび（ｉｉ）所定の公にアクセス可能なサードパーティー・オンライン・システム上にポストされるメッセージの少なくとも一つである、態様５８記載のコンピューティング装置。
〔態様６０〕
前記コンピューティング装置がポータブル電子装置およびパーソナル・コンピュータのうちの一つである、態様５８記載のコンピューティング装置。
〔態様６１〕
前記患者／療法メトリック・データが、当該コンピューティング装置および前記圧力支援システムからリモートなコンピュータ・システムから受領される、態様５８記載のコンピューティング装置。
〔態様６２〕
患者に情報を提供するシステムにおけるユーザーについてのアカウントを確立する方法であって、患者は、呼吸ガスの流れを患者に送達することによって患者の状態を処置するよう患者に療法を提供するよう構成された圧力支援システムを使い、当該方法は：
コンピューティング装置において、ユーザーについてのユーザー名情報および前記圧力発生システムのコンポーネントを同定する装置同定情報を受領する段階と；
前記ユーザー名情報および前記装置同定情報を前記コンピューティング装置および前記圧力発生システムからリモートな位置に送信する段階と；
前記リモートな位置において、前記ユーザー名情報が前記システムにとって唯一であるかどうかおよび前記装置同定情報が有効であるかどうかを判定する段階と；
前記ユーザー名情報が前記システムにとって唯一でありかつ前記装置同定情報が有効であると判定される場合にのみ、前記アカウントを確立する段階とを含む、
方法。
〔態様６３〕
前記ユーザー名情報がユーザーの電子メール・アドレスを含む、態様６２記載の方法。
〔態様６４〕
前記装置同定情報が有効であるかどうかを判定することが、前記装置同定情報が前記圧力発生システムの前記コンポーネントの既知のモデルについての所定の期待される範囲内にはいるかどうかを判定することを含む、態様６２記載の方法。
〔態様６５〕
前記装置同定情報が、（ｉ）前記コンピューティング装置に手動で入力されるおよび（ｉｉ）前記コンポーネントから前記コンピューティング装置によって自動的に取得される、の一方である、態様６２記載の方法。
〔態様６６〕
態様６５記載の方法であって、（ｉｉ）の場合、前記装置同定情報が、前記コンピューティング装置上に与えられているバーコードを読む、前記バーコードの電子的な画像を処理するまたは前記コンポーネントの電子的な画像を処理する、のうちの一つによって得られる、方法。
〔態様６７〕
前記装置同定情報が、前記圧力発生システムが前記コンピューティング装置によって前記装置同定情報を送信するよう促されるのに応答して、前記圧力発生システムから直接、前記コンピューティング装置において受領される、態様６２記載の方法。
【図１】
0006588511.tif 000002
【図２】
0006588511.tif 000003
【図３】
0006588511.tif 000004
【図４】
0006588511.tif 000005
【図５】
0006588511.tif 000006
【図６】
0006588511.tif 000007
【図７】
0006588511.tif 000008
【図８】
0006588511.tif 000009
【図９】
0006588511.tif 000010
【図９−２】
0006588511.tif 000011
【図１０】
0006588511.tif 000012
【図１１】
0006588511.tif 000013
【図１２】
0006588511.tif 000014
【図１２−２】
0006588511.tif 000015
【図１３】
0006588511.tif 000016
【図１４】
0006588511.tif 000017
【図１５】
0006588511.tif 000018
【図１６】
0006588511.tif 000019
【図１７】
0006588511.tif 000020
【図１８】
0006588511.tif 000021
【図１９】
0006588511.tif 000022
【図２０】
0006588511.tif 000023
【図２１】
0006588511.tif 000024
【図２２】
0006588511.tif 000025
【図２３】
0006588511.tif 000026
【図２４】
0006588511.tif 000027